(57)【要約】いくつかの実施形態によれば、ユーザ機器（ＵＥ）で使用する方法は、ページング物理リソースブロック（ＰＲＢ）を複数のＵＥに割り当てるための複数の重みを受信することを含む。各重みはそれぞれのページングＰＲＢに関連付けられている。その方法は、複数の重みのうちの少なくとも１つの重みを使用してＵＥのためのページングＰＲＢを決定することと、決定されたページングＰＲＢ上でページングを受信することとをさらに含む。特定の実施形態では、ＵＥのためのページングＰＲＢを決定することは、１組のアーティフィシャル（ａｒｔｉｆｉｃｉａｌ）ページングＰＲＢのうちの１つのアーティフィシャルページングＰＲＢにＵＥを割り当てることと、複数の重みのうちの少なくとも１つの重みを使用して、１組の実際のページングＰＲＢのうちの１つの実際のページングＰＲＢに１つのアーティフィシャルページングＰＲＢをマッピングすることを含む。１組の実際のページングＰＲＢは、１組のアーティフィシャルページングＰＲＢよりも少ない数のページングＰＲＢを含む。
2019531002.tif 000002
【特許請求の範囲】
【請求項１】
ユーザ機器（ＵＥ）において使用する方法であって、前記方法は、
ネットワークノードから、ページング物理リソースブロック（ＰＲＢ）を複数のＵＥに割り当てるための複数の重みを受信すること（８１２）であって、前記複数の重みのうちの各重みは、それぞれのページングＰＲＢに関連付けられることと、
前記複数の重みのうちの少なくとも１つの重みを使用して前記ユーザ機器のためのページングＰＲＢを決定すること（８１４）と、
決定された前記ページングＰＲＢでページングを受信すること（８１６）とを含む、方法。
【請求項２】
請求項１に記載の方法であって、前記ユーザ機器のための前記ページングＰＲＢを決定すること（８１４）は、
前記ユーザ機器を、１組のアーティフィシャルページングＰＲＢのうちの１つのアーティフィシャルページングＰＲＢに割り当てることと、
前記複数の重みのうちの少なくとも１つの重みを使用して、１組の実際のページングＰＲＢのうちの１つの実際のページングＰＲＢに前記アーティフィシャルページングＰＲＢをマッピングすることと、を含み、前記１組の実際のページングＰＲＢは前記１組のアーティフィシャルページングＰＲＢよりも少ない数のページングＰＲＢを含む、方法。
【請求項３】
請求項２に記載の方法であって、前記ユーザ機器が一意の識別子と関連付けられ、
前記ユーザ機器を前記アーティフィシャルページングＰＲＢに割り当てることは、前記アーティフィシャルページングＰＲＢを選択するために均等分布関数を使用することを含み、前記均等分布関数は、前記１組のアーティフィシャルページングＰＲＢ内のページングＰＲＢの総数で前記一意の識別子を除算することを含み、
前記アーティフィシャルページングＰＲＢを前記実際のページングＰＲＢにマッピングすることは、前記実際のページングＰＲＢを選択するために不均等分布関数を使用することを含み、前記不均等分布関数は、前記１組のアーティフィシャルページングＰＲＢのうちのいくつかのページングＰＲＢを前記１組の実際のページングＰＲＢのうちの前記ページングＰＲＢに、前記重みに従って割り当てることを含む、方法。
【請求項４】
請求項３に記載の方法であって、前記１組のアーティフィシャルページングＰＲＢ内のページングＰＲＢの前記総数は、前記複数の重みの合計に等しい、方法。
【請求項５】
請求項１乃至４のいずれか一項に記載の方法であって、前記複数の重みを受信すること（８１２）は、ブロードキャストされたシステム情報を受信することを含む、方法。
【請求項６】
請求項１乃至５のいずれか一項に記載の方法であって、前記重みは、
ＰＲＢがアンカーＰＲＢであるか、
ページング負荷またはページングブロッキング確率、
ダウンリンクトラフィック負荷、
アンカーＰＲＢの数、
不連続受信（ＤＲＸ）パラメータ、および
ユーザ機器のロングタームエボリューション（ＬＴＥ）のリリースのバージョンに応じた、ユーザ機器の分布、
のうちの少なくとも１つに基づく、方法。
【請求項７】
処理回路（９２０）に結合されたメモリ（９３０）を備えるユーザ機器（ＵＥ）（２１０）であって、前記処理回路は、
ネットワークノード（２００）から、ページング物理リソースブロック（ＰＲＢ）を複数のＵＥに割り当てるための複数の重みを受信し、前記複数の重みのうちの各重みは、それぞれのページングＰＲＢに関連付けられ、
前記複数の重みのうちの少なくとも１つの重みを使用して前記ユーザ機器のためのページングＰＲＢを決定し、
決定された前記ページングＰＲＢでページングを受信する、ことができるユーザ機器。
【請求項８】
請求項７に記載のユーザ機器であって、前記ユーザ機器のための前記ページングＰＲＢを決定することができる前記処理回路は、
前記ＵＥを、１組のアーティフィシャルページングＰＲＢのうちの１つのアーティフィシャルページングＰＲＢに割り当て、
前記複数の重みのうちの少なくとも１つの重みを使用して、１組の実際のページングＰＲＢのうちの１つの実際のページングＰＲＢに前記アーティフィシャルページングＰＲＢをマッピングする、ことができ、前記１組の実際のページングＰＲＢは前記１組のアーティフィシャルページングＰＲＢよりも少ない数のページングＰＲＢを含む、ユーザ機器。
【請求項９】
請求項８に記載のユーザ機器であって、前記ユーザ機器が一意の識別子と関連付けられ、
前記処理回路は、前記アーティフィシャルページングＰＲＢを選択するために均等分布関数を使用して前記ユーザ機器を前記アーティフィシャルページングＰＲＢに割り当てることができ、前記均等分布関数は、前記１組のアーティフィシャルページングＰＲＢ内のページングＰＲＢの総数で前記一意の識別子を除算することを含み、
前記処理回路は、前記実際のページングＰＲＢを選択するために不均等分布関数を使用して前記アーティフィシャルページングＰＲＢを前記実際のページングＰＲＢにマッピングすることができ、前記不均等分布関数は、前記１組のアーティフィシャルページングＰＲＢのうちのいくつかのページングＰＲＢを前記１組の実際のページングＰＲＢのうちの前記ページングＰＲＢに、前記重みに従って割り当てることを含む、ユーザ機器。
【請求項１０】
請求項９に記載のユーザ機器であって、前記１組のアーティフィシャルページングＰＲＢ内のページングＰＲＢの前記総数は、前記複数の重みの合計に等しい、ユーザ機器。
【請求項１１】
請求項７乃至１０のいずれか一項に記載のユーザ機器であって、前記処理回路は、ブロードキャストされたシステム情報を受信することにより前記複数の重みを受信することができる、ユーザ機器。
【請求項１２】
請求項７乃至１１のいずれか一項に記載のユーザ機器であって、前記重みは、
ＰＲＢがアンカーＰＲＢであるか、
ページング負荷またはページングブロッキング確率、
ダウンリンクトラフィック負荷、
アンカーＰＲＢの数、
不連続受信（ＤＲＸ）パラメータ、および
ユーザ機器のロングタームエボリューション（ＬＴＥ）のリリースのバージョンに応じた、ユーザ機器の分布、
のうちの少なくとも１つに基づく、ユーザ機器。
【請求項１３】
ページング物理リソースブロック（ＰＲＢ）を複数のユーザ機器（ＵＥ）に割り当てて、ページング負荷を不均等に分散させて無線ネットワーク内の既存のページング負荷を均衡させる、ネットワークノードにおいて使用するための方法であって、前記方法は、
ページングＰＲＢを複数のユーザ機器に割り当てるための複数の重みを取得すること（９５２）であって、前記複数の重みの各重みはそれぞれのページングＰＲＢに関連付けられ、前記複数の重みはページング負荷を不均等に分散するためにユーザ機器をページングＰＲＢに不均等に割り当て、
前記複数の重みを１つまたは複数のユーザ機器に送信すること（９５４）と、含む方法。
【請求項１４】
請求項１３に記載の方法であって、前記複数の重みを取得すること（９５２）は、前記ネットワークノードが前記重みを決定することを含む、方法。
【請求項１５】
請求項１３乃至１４のいずれか一項に記載の方法であって、前記重みは、
ＰＲＢがアンカーＰＲＢであるか、
ページング負荷またはページングブロッキング確率、
ダウンリンクトラフィック負荷、
アンカーＰＲＢの数、
不連続受信（ＤＲＸ）パラメータ、および
ユーザ機器のロングタームエボリューション（ＬＴＥ）のリリースのバージョンに応じた、ユーザ機器の分布、
のうちの少なくとも１つに基づく、方法。
【請求項１６】
請求項１３乃至１５のいずれか一項に記載の方法であって、前記複数の重みを送信すること（９５４）は、システム情報をブロードキャストすることを含む、方法。
【請求項１７】
請求項１３乃至１６のいずれか一項に記載の方法であって、前記方法はさらに、
前記複数の重みのうちの少なくとも１つの重みを使用して前記複数のユーザ機器のうちのひとつのユーザ機器のためのページングＰＲＢを割り当てること（９５６）と、
割り当てられた前記ＰＲＢを使用して前記ユーザ機器をページングすること（９５８）とを含む、方法。
【請求項１８】
請求項１７に記載の方法であって、前記ユーザ機器のための前記ページングＰＲＢを割り当てることは、
前記ユーザ機器を、１組のアーティフィシャルページングＰＲＢのうちの１つのアーティフィシャルページングＰＲＢに割り当てることと、
前記複数の重みのうちの少なくとも１つの重みを使用して、１組の実際のページングＰＲＢのうちの１つの実際のページングＰＲＢに前記アーティフィシャルページングＰＲＢをマッピングすることと、を含み、前記１組の実際のページングＰＲＢは前記１組のアーティフィシャルページングＰＲＢよりも少ない数のページングＰＲＢを含む、方法。
【請求項１９】
請求項１８に記載の方法であって、前記ユーザ機器が一意の識別子と関連付けられ、
前記ユーザ機器を前記アーティフィシャルページングＰＲＢに割り当てることは、前記アーティフィシャルページングＰＲＢを選択するために均等分布関数を使用することを含み、前記均等分布関数は、前記１組のアーティフィシャルページングＰＲＢ内のページングＰＲＢの総数で前記一意の識別子を除算することを含み、
前記アーティフィシャルページングＰＲＢを前記実際のページングＰＲＢにマッピングすることは、前記ページングＰＲＢを選択するために不均等分布関数を使用することを含み、前記不均等分布関数は、前記１組のアーティフィシャルページングＰＲＢのうちのいくつかのページングＰＲＢを前記１組の実際のページングＰＲＢのうちの前記ページングＰＲＢに、前記重みに従って割り当てることを含む、方法。
【請求項２０】
請求項１９に記載の方法であって、前記１組のアーティフィシャルページングＰＲＢ内のページングＰＲＢの前記総数は、前記複数の重みの合計に等しい、方法。
【請求項２１】
処理回路（１０２０）に結合されたメモリ（１０３０）を備えるネットワークノード（２００）であって、前記ネットワークノードは、ページング物理リソースブロック（ＰＲＢ）を複数のユーザ機器（ＵＥ）に割り当てて、ページング負荷を不均等に分散させて無線ネットワーク内の既存のページング負荷を均衡させることができ、前記処理回路は、
ページングＰＲＢを複数のユーザ機器（２１０）に割り当てるための複数の重みを取得し、前記複数の重みの各重みはそれぞれのページングＰＲＢに関連付けられ、前記複数の重みはページング負荷を不均等に分散するためにユーザ機器をページングＰＲＢに不均等に割り当て、
前記複数の重みを１つまたは複数のユーザ機器に送信する、ことができるネットワークノード。
【請求項２２】
請求項２１に記載のネットワークノードであって、前記処理回路は、前記重みを決定することにより、前記複数の重みを取得することができるネットワークノード。
【請求項２３】
請求項２１乃至２２のいずれか一項に記載のネットワークノードであって、前記重みは、
ＰＲＢがアンカーＰＲＢであるか、
ページング負荷またはページングブロッキング確率、
ダウンリンクトラフィック負荷、
アンカーＰＲＢの数、
不連続受信（ＤＲＸ）パラメータ、および
ユーザ機器のロングタームエボリューション（ＬＴＥ）のリリースのバージョンに応じた、ユーザ機器の分布、
のうちの少なくとも１つに基づく、ネットワークノード。
【請求項２４】
請求項２１乃至２３のいずれか一項に記載のネットワークノードであって、前記処理回路は、システム情報をブロードキャストすることにより前記複数の重みを送信することができる、ネットワークノード。
【請求項２５】
請求項２１乃至２３のいずれか一項に記載のネットワークノードであって、前記処理回路はさらに、
前記複数の重みのうちの少なくとも１つの重みを使用して前記複数のユーザ機器のうちのひとつのユーザ機器のためのページングＰＲＢを決定し、
割り当てられた前記ＰＲＢを使用して前記ユーザ機器をページングする、ことができるネットワークノード。
【請求項２６】
請求項２５に記載のネットワークノードであって、前記処理回路は、前記ユーザ機器のための前記ページングＰＲＢを、
前記ユーザ機器を、１組のアーティフィシャルページングＰＲＢのうちの１つのアーティフィシャルページングＰＲＢに割り当てることと、
前記複数の重みのうちの少なくとも１つの重みを使用して、１組の実際のページングＰＲＢのうちの１つの実際のページングＰＲＢに前記アーティフィシャルページングＰＲＢをマッピングすることであって、前記１組の実際のページングＰＲＢは前記１組のアーティフィシャルページングＰＲＢよりも少ない数のページングＰＲＢを含むことと、により、割り当てることができる、ネットワークノード。
【請求項２７】
請求項２６に記載のネットワークノードであって、前記ユーザ機器が一意の識別子と関連付けられ、
前記処理回路は、前記アーティフィシャルページングＰＲＢを選択するために均等分布関数を使用して前記ユーザ機器を前記アーティフィシャルページングＰＲＢに割り当てることができ、前記均等分布関数は、前記１組のアーティフィシャルＰＲＢ内のページングＰＲＢの総数で前記一意の識別子を除算することを含み、
前記処理回路は、前記実際のページングＰＲＢを選択するために不均等分布関数を使用して前記アーティフィシャルページングＰＲＢを前記実際のページングＰＲＢにマッピングすることができ、前記不均等分布関数は、前記１組のアーティフィシャルページングＰＲＢのうちのいくつかのページングＰＲＢを前記１組の実際のページングＰＲＢのうちの前記ページングＰＲＢに、前記重みに従って割り当てることを含む、ネットワークノード。
【請求項２８】
請求項２７に記載のネットワークノードであって、前記１組のアーティフィシャルページングＰＲＢ内のページングＰＲＢの前記総数は、前記複数の重みの合計に等しい、ネットワークノード。
【請求項２９】
受信モジュール（９４２）と決定モジュール（９４４）とを備えるユーザ機器（ＵＥ）（２１０）であって、
前記受信モジュールは、ネットワークノードから、ページング物理リソースブロック（ＰＲＢ）を複数のＵＥに割り当てるための複数の重みを受信することができ、前記複数の重みのうちの各重みは、それぞれのページングＰＲＢに関連付けられ、
前記決定モジュールは、複数の重みのうちの少なくとも１つの重みを使用してＵＥのためのページングＰＲＢを決定することができ、
前記受信モジュールは、決定されたページングＰＲＢ上でページングを受信することができる、ユーザ機器。
【請求項３０】
取得モジュール（１０６０）と送信モジュール（１０６２）とを備えるネットワークノード（２００）であって、
前記取得モジュールは、ページングＰＲＢを複数のユーザ機器（２１０）に割り当てるための複数の重みを取得することができ、前記複数の重みの各重みはそれぞれのページングＰＲＢに関連付けられ、前記複数の重みはページング負荷を不均等に分散するために複数のユーザ機器を複数のページングＰＲＢに不均等に割り当て、
前記送信モジュールは、前記複数の重みを１つまたは複数のＵＥに送信する、ことができる、ネットワークノード。
【発明の詳細な説明】
【技術分野】
【０００１】
本開示は、一般的には無線通信に関し、より詳細には、複数の物理リソースブロック（ＰＲＢ）を用いた、狭帯域インターネットオブシングス（ＮＢ−ＩｏＴ）動作のためのページング負荷の不均等な分散に関する。
【背景技術】
【０００２】
はじめに
狭帯域インターネットオブシングス（NB-IoT）は、第３世代パートナーシッププロジェクト（3GPP）によってセルラインターネットオブシングス（IoT）用に開発された狭帯域システムである。このシステムは、既存のロングタームエボリューション（ＬＴＥ）システムに基づいており、以下の特徴のうちの１つまたは複数を有する多数のデバイスに対する最適化されたネットワークアーキテクチャおよび改善された屋内カバレッジに対処する。（ａ）低スループットデバイス（例えば２Ｋｂｐｓ）；（ｂ）低遅延感度（例えば、〜１０秒）； （ｃ）超低デバイスコスト（例えば、５ドル未満）；（ｄ）低デバイス消費電力（例えば、電池寿命が１０年）。
【０００３】
システム内の各セル（例えば、〜１ｋｍ2）は、センサ、メータ、アクチュエータなどのような数千（例えば〜５万）の装置にサービスを提供することができる。ＮＢ−ＩｏＴは、既存のスペクトル（例えばＧＳＭ）を利用するために比較的狭い帯域幅（例えば、１つのＬＴＥ物理リソースブロック（ＰＲＢ）と同じ１８０ＫＨｚの帯域幅）を使用する。ＮＢ−ＩｏＴ全体は、２００ｋＨｚ、または１ＰＲＢ（すなわち、それぞれ１５ｋＨｚの１２個のサブキャリア）内に含まれる。ＮＢ−ＩｏＴでは、これは１つのキャリアまたは１つのＰＲＢと呼ばれることがある。
【０００４】
ＮＢ−ＩｏＴの周波数分割複信（ＦＤＤ）モード（すなわち、送信機および受信機は異なるキャリア周波数で動作する）は、ユーザ機器（ＵＥ）において半二重モードをサポートすることのみを必要とする。改善されたカバレッジを達成するために、アップリンクおよび／またはダウンリンクにおいてデータ反復が使用される。デバイスのより低い複雑さ（例えば、ただ１つの送信／受信チェーン）は、通常のカバレッジにおいてもいくらかの繰り返しが必要とされる可能性があることを意味する。
【０００５】
さらに、ＵＥの複雑さを軽減するために、クロスサブフレームスケジューリングを使用することができる。例えば、送信は最初に狭帯域物理ダウンリンク制御チャネル（ＮＰＤＣＣＨ）でスケジュールされ、次に狭帯域物理ダウンリンク共有チャネル（ＮＰＤＳＣＨ）での実データの最初の送信が、ＮＰＤＣＣＨの最後の送信の後に実行される。同様に、アップリンクデータ送信については、ネットワークによってスケジュールされ、アップリンク送信のためにＵＥによって必要とされるリソースに関する情報は、最初にＮＰＤＣＣＨ上で運ばれ、次に狭帯域物理アップリンク共有チャネル（ＮＰＵＳＣＨ）でのＵＥによる実データの最初の送信が、ＮＰＤＣＣＨの最後の送信の後に実行される。換言すれば、上記の両方の場合について、ＵＥの観点からは、制御チャネルの受信とデータチャネルの受信／送信とが同時に行われることはない。
【０００６】
さらに、ＮＢ−ＩｏＴセルでは、ダウンリンクでの専用データ通信にすべてのサブフレームが利用できるわけではない。ダウンリンクにおいて利用可能なサブフレームの量は、ＮＢ−ＩｏＴが配置される３つの動作モード（すなわち、スタンドアロン、インバンド、およびガードバンド）のうちの１つに依存する。すべての動作モードについて、ＵＥは、以下の利用不可能なサブフレーム（またはサブフレームの一部）の周りでレートマッチングする必要がある。
* ＮＰＳＳが無線フレームごとに送信されるＮＢ−ＩｏＴ一次および二次同期チャネル（ＮＰＳＳおよびＮＳＳＳ）（ＮＢ−ＩｏＴ無線フレーム長はＬＴＥと同じ、すなわち１０ｍｓであり、１０個のサブフレームからなる。ＮＰＳＳはサブフレーム番号５で送信される。）
* すべての無線フレームでサブフレーム０を占有するマスタ情報ブロック（ＭＩＢ）を含むＮＢ−ＩｏＴブロードキャストチャネル（ＮＰＢＣＨ）
* ＮＢ−ＩｏＴシステム情報ブロックは、ＮＰＤＳＣＨ上でブロードキャストする（例えば、Ｎ．ＮＳＩＢ  １は、他のすべての無線フレームの４番目のサブフレームでブロードキャストされる。）
* 設定されたときのダウンリンクギャップ
* ＮＢ−ＩｏＴ参照シンボル（ＮＲＳ）
さらに、インバンド動作モードの場合、ＵＥは、セル固有参照信号（ＣＲＳ）、測位参照信号（ＰＲＳ）、およびＬＴＥマルチキャストブロードキャスト単一周波数ネットワーク（ＭＢＳＦＮ）サブフレームなどのＬＴＥ参照シンボルの周りでレートマッチングする必要がある。
【０００７】
半二重通信、クロスサブフレームスケジューリング、低帯域幅、利用可能なサブフレーム数、およびサービスされるＵＥの数に関するＮＢ−ＩｏＴの性質のせいで、ＮＢ−ＩｏＴは、効率的な動作のためにより多くのスペクトルを使用することで利益を得ることができる。そのようなスペクトルがすでに利用可能である場合（例えば、ＬＴＥキャリアがすべては使用されていない低トラフィック時間中のインバンド動作モードにおいて）には特にそうである。したがって、３ＧＰＰリリース１３のＮＢ−ＩｏＴはマルチキャリア動作を使用し、そこでは、ＮＢ−ＩｏＴアンカーキャリアで動作するＵＥが、上位レイヤのシグナリング（例えば、レイヤ３無線リソース制御（ＲＲＣ））を通じて設定され、接続モード動作中にはＮＢ−ＩｏＴの非アンカーキャリアで動作する。接続モード動作の終わりに、ＵＥは自律的にアンカーキャリアに戻る。
【０００８】
しかしながら、キャリア／ＰＲＢを介してＵＥを均等に分配する一般的な手法は、ＮＢ−ＩｏＴには良くない。例えば、多くの面でＮＢ−ＩｏＴに類似している強化型マシン型通信（ｅＭＴＣ）では、ページング負荷は、ＵＥ_ＩＤに基づいて狭帯域（すなわち、周波数領域で６ＰＲＢ領域）にわたって均等に分散される。ただし、すべてのＮＢ−ＩｏＴリリース１３のＵＥは、ダウンリンクのアンカーＰＲＢでのページングを監視するので、非アンカーＰＲＢは使用されつくしていない（ネットワーク内のリリース１３のＵＥの集団が大きい場合）。
【発明の概要】
【０００９】
第３世代パートナーシッププロジェクト（３ＧＰＰ）リリース１４はマルチキャリア動作を拡張することができ、（リリース１３動作とは異なり）ユーザ機器（ＵＥ）は、ページングを監視することと非アンカーキャリア上でランダムアクセスを実行することの両方ができる。したがって、本明細書で開示される実施形態の目的は、（たとえば、各ＰＲＢに優先度または重みを設定することによって）複数のダウンリンクアンカーおよび非アンカー物理リソースブロック（ＰＲＢ）にわたってページング負荷を不均等に分散する方法を提供することである。したがって、リリース１４のＵＥの不均等な分布は、リリース１３のＵＥの集中した分布のバランスをとるために使用され、全体としてより均等に分散されたページング負荷を提供することができる。
【００１０】
無線デバイスによって実行される方法が開示される。その方法は一般に、ページングフレーム（ＰＦ）およびページングオケージョン（ＰＯ）を計算することを含む。その方法は、ネットワークによってＰＲＢごとに提供された重みまたは優先度があるかどうかを判定することをさらに含む。重みまたは優先度が提供される場合、その方法は、重みまたは優先度を使用してPFおよびＰＯを計算することをさらに含む。重みまたは優先度が提供されない場合、ＰＦとＰＯは従来の方法で計算される。
【００１１】
無線デバイスもまた開示される。その無線デバイスは、ページングフレーム（ＰＦ）およびページングオケージョン（ＰＯ）を計算するよう構成された処理回路を含む。その処理回路は、ネットワークによってＰＲＢごとに提供された重みまたは優先度があるかどうかを判定するようさらに構成される。重みまたは優先度が提供される場合、重みまたは優先度を使用してＰＦとＰＯは計算される。重みまたは優先度が提供されない場合、ＰＦとＰＯは従来の方法で計算される。その無線デバイスは、その無線デバイスに電力を供給するように構成された電力供給回路をさらに有する。
【００１２】
ＵＥもまた開示される。そのＵＥは、無線信号を送受信するように構成されたアンテナを備える。ＵＥは、アンテナおよび処理回路に接続され、アンテナと処理回路との間で通信される信号を調整するように構成された無線フロントエンド回路をさらに備える。その処理回路は、ページングフレーム（ＰＦ）およびページングオケージョン（ＰＯ）を計算するよう構成される。その処理回路は、ネットワークによってＰＲＢごとに提供された重みまたは優先度があるかどうかを判定するようさらに構成される。重みまたは優先度が提供される場合、重みまたは優先度を使用してＰＦとＰＯは計算される。重みや優先度が提供されない場合、ＰＦとＰＯは従来の方法で計算される。ユーザ機器は、処理回路に接続され、処理回路によって処理される情報のＵＥへの入力を可能にするように構成された入力インタフェースと、処理回路に接続され、処理回路によって処理された情報をＵＥから出力するように構成された出力インタフェースとをさらに備える。またさらに、そのユーザ機器は、処理回路に接続され、ＵＥに電力を供給するように構成されたバッテリを備える。
【００１３】
ネットワークノードによって実行される方法も開示される。その方法は、不均等なページング負荷分散を適用すべきかどうかを決定することを含む。そうである場合、その方法は、１つまたは複数の基準に基づいて重みまたは優先度を計算することと、次に、計算された重みまたは優先度をシステム情報内でブロードキャストすることとを含む。不均等なページング負荷分散が必要とされない場合、システム情報は重みまたは優先度なしでブロードキャストされる。あるいは、システム情報は、すべて等しく設定された重みまたは優先度でブロードキャストされてもよい。
【００１４】
いくつかの実施形態では、不均等なページング負荷分散が必要とされ、重みまたは優先度が計算されブロードキャストされたとき、重みおよび優先度は再帰的な方法で定期的に調整され得る。その調整は、特定の基準に基づいて重みまたは優先度を計算し、新しい重みまたは優先度をブロードキャストすることを含む。
【００１５】
ネットワークノードも開示される。そのネットワークノードは処理回路を含み、不均等なページング負荷分散を適用すべきかどうかを決定するように構成される。そうである場合、そのネットワークノードは、１つまたは複数の基準に基づいて重みまたは優先度を計算し、次に、計算された重みまたは優先度をシステム情報内でブロードキャストする。不均等なページング負荷分散が必要とされない場合、システム情報は重みまたは優先度なしでブロードキャストされる。あるいは、システム情報は、すべて等しく設定された重みまたは優先度でブロードキャストされてもよい。
【００１６】
いくつかの実施形態によれば、ＵＥで使用する方法は、ページングＰＲＢを複数のＵＥに割り当てるための複数の重みを受信することを含む。各重みはそれぞれのページングＰＲＢに関連付けられている。その方法は、複数の重みのうちの少なくとも１つの重みを使用してＵＥのためのページングＰＲＢを決定することと、決定されたページングＰＲＢ上でページングを受信することとをさらに含む。
【００１７】
特定の実施形態では、ＵＥのためのページングＰＲＢを決定することは、１組のアーティフィシャル（ａｒｔｉｆｉｃｉａｌ）ページングＰＲＢのうちの１つのアーティフィシャルページングＰＲＢにＵＥを割り当てることと、複数の重みのうちの少なくとも１つの重みを使用して、１組の実際のページングＰＲＢのうちの１つの実際のページングＰＲＢに１つのアーティフィシャルページングＰＲＢをマッピングすることを含む。１組の実際のページングＰＲＢは、１組のアーティフィシャルページングＰＲＢよりも少ない数のページングＰＲＢを含む。
【００１８】
特定の実施形態では、ＵＥは一意の識別子と関連付けられている。ＵＥをアーティフィシャルページングＰＲＢに割り当てることは、アーティフィシャルページングＰＲＢを選択するために均等分布関数を使用することを含む。均等分布関数は、一組のアーティフィシャルページングＰＲＢ内のページングＰＲＢの総数で一意の識別子を除算することを含む。アーティフィシャルページングＰＲＢを実際のページングＰＲＢにマッピングすることは、実際のページングＰＲＢを選択するために不均等分布関数を使用することを含む。不均等分布関数は、重みに従って、１組のアーティフィシャルページングＰＲＢのいくつかのページングＰＲＢを、１組の実際のページングＰＲＢトのページングＰＲＢに割り当てることを含む。１組のアーティフィシャルページングＰＲＢ内のページングＰＲＢの総数は、複数の重みの合計を含んでよい。
【００１９】
特定の実施形態では、複数の重みを受信することは、ブロードキャストされたシステム情報を受信することを含む。重みは、以下のうちの少なくとも１つに基づいてもよい。ＰＲＢがアンカーＰＲＢであるかどうか。ページング負荷またはページングブロッキング確率。ダウンリンクトラフィック負荷。アンカーＰＲＢの数。不連続受信（ＤＲＸ）パラメータ。ＬＴＥリリースバージョンに応じたＵＥの分布。
【００２０】
いくつかの実施形態によれば、ＵＥは処理回路に結合されたメモリを備える。その処理回路は、ネットワークノードから、ページングＰＲＢを複数のＵＥに割り当てるための複数の重みを受信することができる。複数の重みの各重みはそれぞれのページングＰＲＢに関連付けられる。その処理回路は、さらに、複数の重みのうちの少なくとも１つの重みを使用してＵＥのためのページングＰＲＢを決定し、決定されたページングＰＲＢ上でページングを受信することができる。
【００２１】
特定の実施形態では、ＵＥのためのページングＰＲＢを決定することができるその処理回路は、１組のアーティフィシャルページングＰＲＢのうちの１つのアーティフィシャルページングＰＲＢにＵＥを割り当て、複数の重みのうちの少なくとも１つの重みを使用して、１組の実際のページングＰＲＢのうちの１つの実際のページングＰＲＢに１つのアーティフィシャルページングＰＲＢをマッピングすることができる。１組の実際のページングＰＲＢは、１組のアーティフィシャルページングＰＲＢよりも少ない数のページングＰＲＢを含む。
【００２２】
特定の実施形態では、ＵＥは一意の識別子と関連付けられている。その処理回路は、アーティフィシャルページングＰＲＢを選択するために均等分布関数を使用することにより、ＵＥをアーティフィシャルページングＰＲＢに割り当てることができる。均等分布関数は、一組のアーティフィシャルページングＰＲＢ内のページングＰＲＢの総数で一意の識別子を除算することを含む。その処理回路は、実際のページングＰＲＢを選択するために不均等分布関数を使用することにより、アーティフィシャルページングＰＲＢを実際のページングＰＲＢに割り当てることができる。不均等分布関数は、重みに従って、１組のアーティフィシャルページングＰＲＢのいくつかのページングＰＲＢを、１組の実際のページングＰＲＢトのページングＰＲＢに割り当てることを含む。１組のアーティフィシャルページングＰＲＢ内のページングＰＲＢの総数は、複数の重みの合計を含んでよい。
【００２３】
特定の実施形態では、その処理回路は、ブロードキャストされたシステム情報を受信することにより、複数の重みを受信することができる。重みは、以下のうちの少なくとも１つに基づいてもよい。ＰＲＢがアンカーＰＲＢであるかどうか。ページング負荷またはページングブロッキング確率。ダウンリンクトラフィック負荷。アンカーＰＲＢの数。ＤＲＸパラメータ。ＬＴＥリリースバージョンに応じたＵＥの分布。
【００２４】
いくつかの実施形態によれば、無線ネットワーク内の既存のページング負荷を均衡させるためにページング負荷を不均等に分散するために複数のＵＥにＰＲＢを割り当てるネットワークノードで使用する方法は、複数のＵＥにページングＰＲＢを割り当てるための複数の重みを取得することを含む。複数の重みの各重みはそれぞれのページングＰＲＢに関連付けられ、複数の重みはページング負荷を不均等に分散するためにＵＥをページングＰＲＢに不均等に割り当てる。その方法は、複数の重みを１つまたは複数のＵＥに送信することをさらに含む。
【００２５】
特定の実施形態では、複数の重みを取得することは、ネットワークノードが重みを決定することを含む。重みは、以下のうちの少なくとも１つに基づいてもよい。ＰＲＢがアンカーＰＲＢであるかどうか。ページング負荷またはページングブロッキング確率。ダウンリンクトラフィック負荷。アンカーＰＲＢの数。ＤＲＸパラメータ。ＬＴＥリリースバージョンに応じたＵＥの分布。複数の重みを送信することは、システム情報をブロードキャストすることを含んでよい。
【００２６】
特定の実施形態によれば、その方法は、複数の重みのうちの少なくとも１つの重みを使用して複数のＵＥのうちの１つのＵＥのためのページングＰＲＢを割り当てることと、割り当てられたページングＰＲＢを用いてそのＵＥをページングすることとをさらに含む。ＵＥのためのページングＰＲＢを割り当てることは、１組のアーティフィシャルページングＰＲＢのうちの１つのアーティフィシャルページングＰＲＢにＵＥを割り当てることと、複数の重みのうちの少なくとも１つの重みを使用して、１組の実際のページングＰＲＢのうちの１つの実際のページングＰＲＢにそのアーティフィシャルページングＰＲＢをマッピングすることを含んでよい。１組の実際のページングＰＲＢは、１組のアーティフィシャルページングＰＲＢよりも少ない数のページングＰＲＢを含む。
【００２７】
特定の実施形態では、ＵＥは一意の識別子と関連付けられている。ＵＥをアーティフィシャルページングＰＲＢに割り当てることは、アーティフィシャルページングＰＲＢを選択するために均等分布関数を使用することを含む。均等分布関数は、一組のアーティフィシャルページングＰＲＢ内のページングＰＲＢの総数で一意の識別子を除算することを含む。アーティフィシャルページングＰＲＢを実際のページングＰＲＢにマッピングすることは、実際のページングＰＲＢを選択するために不均等分布関数を使用することを含む。不均等分布関数は、重みに従って、１組のアーティフィシャルページングＰＲＢのいくつかのページングＰＲＢを、１組の実際のページングＰＲＢトのページングＰＲＢに割り当てることを含む。１組のアーティフィシャルページングＰＲＢ内のページングＰＲＢの総数は、複数の重みの合計を含んでよい。
【００２８】
いくつかの実施形態によれば、ネットワークノードは処理回路に結合されたメモリを備える。そのネットワークノードは、ページングＰＲＢを複数のＵＥに割り当て、無線ネットワーク内の既存のページング負荷を均衡させるためにページング負荷を不均等に分散させることができる。その処理回路は、ページングＰＲＢを複数のＵＥに割り当てるための複数の重みを取得することができる。複数の重みの各重みはそれぞれのページングＰＲＢに関連付けられ、複数の重みはページング負荷を不均等に分散するためにＵＥをページングＰＲＢに不均等に割り当てる。その処理回路はさらに、複数の重みを１つまたは複数のＵＥに送信することができる。
【００２９】
特定の実施形態では、その処理回路は、重みを決定することにより、複数の重みを取得することができる。その処理回路は、システム情報をブロードキャストすることにより複数の重みを送信することができる。
【００３０】
特定の実施形態では、その処理回路はさらに、複数の重みのうちの少なくとも１つの重みを使用して複数のＵＥのうちの１つのＵＥのためのページングＰＲＢを割り当て、割り当てられたページングＰＲＢを用いてそのＵＥをページングすることができる。
【００３１】
特定の実施形態では、その処理回路は、１組のアーティフィシャルページングＰＲＢのうちの１つのアーティフィシャルページングＰＲＢにＵＥを割り当てることにより、ＵＥのためのページングＰＲＢを割り当て、複数の重みのうちの少なくとも１つの重みを使用して、１組の実際のページングＰＲＢのうちの１つの実際のページングＰＲＢにそのアーティフィシャルページングＰＲＢをマッピングすることができる。１組の実際のページングＰＲＢは、１組のアーティフィシャルページングＰＲＢよりも少ない数のページングＰＲＢを含む。
【００３２】
特定の実施形態では、ＵＥは一意の識別子と関連付けられている。その処理回路は、ページングＰＲＢを選択するために均等分布関数を使用することにより、ＵＥをアーティフィシャルページングＰＲＢに割り当てることができる。均等分布関数は、一組のアーティフィシャルＰＲＢ内のページングＰＲＢの総数で一意の識別子を除算することを含む。その処理回路は、実際のページングＰＲＢを選択するために不均等分布関数を使用することにより、アーティフィシャルページングＰＲＢを実際のページングＰＲＢにマッピングすることができる。不均等分布関数は、重みに従って、１組のアーティフィシャルページングＰＲＢのいくつかのページングＰＲＢを、１組の実際のページングＰＲＢトのページングＰＲＢに割り当てることを含む。１組のアーティフィシャルページングＰＲＢ内のページングＰＲＢの総数は、複数の重みの合計を含んでよい。
【００３３】
いくつかの実施形態によれば、ＵＥは受信モジュールと決定モジュールとを備える。その受信モジュールは、ネットワークノードから、ＰＲＢを複数のＵＥに割り当てるための複数の重みを受信することができる。複数の重みの各重みはそれぞれのページングＰＲＢに関連付けられる。その決定モジュールは、複数の重みのうちの少なくとも１つの重みを使用してＵＥのためのページングＰＲＢを決定することができる。その受信モジュールは、決定されたページングＰＲＢ上でページングを受信することができる。
【００３４】
いくつかの実施形態によれば、ネットワークノードは取得モジュールと送信モジュールとを備える。その取得モジュールは、ページングＰＲＢを複数のＵＥに割り当てるための複数の重みを取得することができる。複数の重みの各重みはそれぞれのページングＰＲＢに関連付けられ、複数の重みはページング負荷を不均等に分散するためにＵＥをページングＰＲＢに不均等に割り当てる。その送信モジュールはさらに、複数の重みを１つまたは複数のＵＥに送信することができる。
【００３５】
コンピュータプログラム製品も開示される。そのコンピュータプログラム製品は、プロセッサによって実行されると、ページングＰＲＢを複数のＵＥに割り当てるための複数の重みを受信する動作を実行する、非一時的コンピュータ可読媒体に格納された命令を含む。各重みはそれぞれのページングＰＲＢに関連付けられている。その命令は、複数の重みのうちの少なくとも１つの重みを使用してＵＥのためのページングＰＲＢを決定し、決定されたページングＰＲＢ上でページングを受信する動作をさらに実行する。
【００３６】
別のコンピュータプログラム製品も開示される。そのコンピュータプログラム製品は、プロセッサによって実行されると、ページングＰＲＢを複数のＵＥに割り当てるための複数の重みを取得する動作を実行する、非一時的コンピュータ可読媒体に格納された命令を含む。複数の重みの各重みはそれぞれのページングＰＲＢに関連付けられ、複数の重みはページング負荷を不均等に分散するためにＵＥをページングＰＲＢに不均等に割り当てる。その命令は、複数の重みを１つまたは複数のＵＥに送信する動作をさらに実行する。
【００３７】
ある実施形態は１つまたは複数の技術的優位性を提供する。たとえば、いくつかの実施形態は、都合よく、ページング負荷をＮＢ−ＩｏＴのために利用可能なダウンリンクキャリアに分散させるためのネットワーク制御をできるようにする。特定の例として、ＵＥのリリース集団の分布のネットワークの知識および／またはページング容量問題および／または輻輳に基づいて、ネットワークは、ページング負荷の等しい部分より多くを非アンカーキャリアに分配することができるかもしれない（それはすべての３ＧＰＰリリース１３のＵＥからロードされるページング／Ｍｓｇ２／Ｍｓｇ４、およびＮＰＳＳ／ＮＳＳＳ、ＮＰＢＣＨおよびシステム情報のブロードキャストとともにロードされない。）３ＧＰＰリリース１４のマルチＰＲＢ動作については、これは、ＮＢ−ＩｏＴダウンリンクＰＲＢのトラフィック／負荷が等しくないという事実を有利に説明し得る（アンカーＰＲＢは、ＮＰＳＳ／ＮＳＳＳ、ＮＰＢＣＨおよび、システム情報のブロードキャスト、ならびに３ＧＰＰリリース１３のＵＥについてのすべてのページング／Ｍｓｇ２／Ｍｓｇ４送信を含む）。他の利点が当業者には容易に利用可能であり得る。特定の実施形態は、列挙された利点のうちのどれも有さないか、いくつか、またはすべてを有し得る。
【図面の簡単な説明】
【００３８】
実施形態ならびにそれらの特徴および利点をより完全に理解するために、添付の図面と併せて以下の説明を参照する。
【図１】図１は、特定の実施形態に従う例示的な無線ネットワークを示すブロック図である。
【図２】図２は、本開示の特定の実施形態に従う、ページングフレームにわたるＵＥの分散を示す概略図である。
【図３】図３は、本開示の特定の実施形態に従う、ページングフレームにわたるＵＥの分散を示す別の概略図である。
【図４】図４は、本開示の特定の実施形態に従う、ページングフレームにわたるＵＥの分散を示す別の概略図である。
【図５】図５は、本開示の特定の実施形態に従う、ページングフレームにわたるＵＥの分散を示す別の概略図である。
【図６】図６は、本開示の特定の実施形態に従う、無線デバイスによって実行される例示的な方法の処理フロー図。
【図７】図７は、本開示の特定の実施形態に従う、ネットワークノードによって実行される例示的な方法の処理フロー図。
【図８】図８は、本開示の特定の実施形態に従う、無線デバイスによって実行される例示的な方法の別の処理フロー図。
【図９】図９は、本開示の特定の実施形態に従う、ネットワークノードによって実行される例示的な方法の別の処理フロー図。
【図１０Ａ】図１０Ａは、無線デバイスの例示的実施形態を示すブロック図である。
【図１０Ｂ】図１０Ｂは、無線デバイスの例示的構成要素を示すブロック図である。
【図１１Ａ】図１１Ａは、ネットワークノードの例示的実施形態を示すブロック図である。
【図１１Ｂ】図１１Ｂは、ネットワークノードの例示的構成要素を示すブロック図である。
【発明を実施するための形態】
【００３９】
狭帯域インターネットオブシングス（ＮＢ−ＩｏＴ）は、第３世代パートナーシッププロジェクト（３ＧＰＰ）によってセルラインターネットオブシングス（ＩｏＴ）用に開発された狭帯域システムである。このシステムは、既存のロングタームエボリューション（ＬＴＥ）システムに基づいており、多数の典型的な低コスト、低複雑性かつ低スループットのデバイスに対する最適化されたネットワークアーキテクチャおよび改善された屋内カバレッジに対処する。
【００４０】
３ＧＰＰリリース１３のＮＢ−ＩｏＴはマルチキャリア動作を使用し、そこでは、ＮＢ−ＩｏＴアンカーキャリアで動作するユーザ機器（ＵＥ）が、上位レイヤのシグナリングを通じて設定され、接続モード動作中にはＮＢ−ＩｏＴの非アンカーキャリアで動作する。接続モード動作の終わりに、ＵＥは自律的にアンカーキャリアに戻る。
【００４１】
しかしながら、キャリア又は物理リソースブロック（ＰＲＢ）を介してＵＥを均等に分配する一般的な手法は、ＮＢ−ＩｏＴには良くない。例えば、多くの面でＮＢ−ＩｏＴに類似している強化型マシン型通信（ｅＭＴＣ）では、ページング負荷は、ＵＥ_ＩＤに基づいて狭帯域（すなわち、周波数領域で６ＰＲＢ領域）にわたって均等に分散される。ただし、すべてのＮＢ−ＩｏＴリリース１３のＵＥは、ダウンリンクのアンカーＰＲＢでのページングを監視するので、ネットワーク内のリリース１３のＵＥの集団が大きい場合、非アンカーＰＲＢは使用されつくしていない。
【００４２】
３ＧＰＰリリース１４はマルチキャリア動作を拡張することができ、（リリース１３動作とは異なり）ＵＥは、ページングを監視することと非アンカーキャリア上でランダムアクセスを実行することの両方ができる。したがって、本明細書で開示される実施形態の目的は、（たとえば、各ＰＲＢに優先度または重みを設定することによって）複数のダウンリンクアンカーおよび非アンカーＰＲＢにわたってページング負荷を不均等に分散する方法を提供することである。したがって、リリース１４のＵＥの不均等な分布は、リリース１３のＵＥの集中した分布のバランスをとるために使用され、全体としてより均等に分散されたページング負荷を提供することができる。
【００４３】
以下の説明は多数の特定の詳細を説明する。しかしながら、実施形態はこれらの具体的な詳細がなくても実施され得ることが理解される。他の例では、この説明の理解を曖昧にしないために、公知の回路、構造および技術は詳細には示されていない。当業者は、含まれた説明により、過度の実験をすることなく適切な機能を実施することができるであろう。
【００４４】
明細書中の「一実施形態」、「実施形態」、「例示的実施形態」などへの言及は、記載された実施形態が特定の特徴、構造、または特性を含んでもよいことを示すが、すべての実施形態がその特定の特徴、構造または特性を必ずしも含んでいなくてよい。またそのような語句は必ずしも同じ実施形態を参照しているわけではない。さらに、特定の特徴、構造、または特性が実施形態に関連して説明されるとき、明示的に記述されていようといまいと、他の実施形態に関連してそのような特徴、構造、または特性を実施することは当業者の知識の範囲内であることは申し上げる。
【００４５】
特定の実施形態は、図面の図１〜図１１Ｂを参照して説明され、様々な図面の同様の部分および対応する部分には同様の番号が使用される。ＬＴＥおよびＮＲは、セルラシステムの一例として本開示を通して使用されるが、ここに提示されたアイデアは他の無線通信システムにも同様に適用され得る。
【００４６】
図１は、特定の実施形態による例示的な無線ネットワークを示すブロック図である。ここで説明される解決策は、任意の適切な構成要素を使用する任意の適切なタイプのシステムに実装できるが、説明される解決策の特定の実施形態は、図１に示される無線通信ネットワークの例などの無線ネットワークで実装され得る。図１の例示的実施形態では、無線通信ネットワークは、通信および他の種類のサービスを１つまたは複数の無線デバイスに提供する。説明した実施形態では、無線通信ネットワークは、無線通信ネットワークによって提供されるサービスへの無線デバイスのアクセスおよび／またはその使用を容易にするネットワーク機器の１つまたは複数のインスタンスを含む。無線通信ネットワークは、無線デバイス間または無線デバイスと固定電話などの別の通信デバイスとの間の通信をサポートするのに適した任意の追加の要素をさらに含んでよい。
【００４７】
無線通信ネットワークは、任意のタイプの通信、電気通信、データ、セルラ、および／または無線ネットワーク、あるいは他のタイプのシステムを表していてよい。特定の実施形態では、無線通信ネットワークは、特定の規格または他のタイプの事前定義された規則または手順に従って動作するように構成されてよい。したがって、無線通信ネットワークの特定の実施形態は、グローバル移動体通信システム（ＧＳＭ）、ユニバーサル移動体通信システム（ＵＭＴＳ）、ロングタームエボリューション（ＬＴＥ）、および／または他の適切な２Ｇ、３Ｇ、４Ｇまたは５Ｇ標準などの通信規格、規格ＩＥＥＥ ８０２．１１規格などの無線ローカルエリアネットワーク（ＷＬＡＮ）規格、および／またはマイクロ波アクセスのためのワールドワイドインターオペラビリティ（ＷｉＭａｘ）、ブルートゥースおよび／またはＺｉｇＢｅｅ規格などの任意の他の適切な無線通信規格を実装できる。
【００４８】
図１は、特定の実施形態による、ネットワークノード２００および無線デバイス（ＷＤ）２１０の詳細図を含む無線ネットワークの例を示す。簡単にするために、図１は、ネットワーク２２０、ネットワークノード２００および２００ａ、ならびにＷＤ２１０のみを示す。ネットワークノード２００は、プロセッサ２０２、記憶装置２０３、インタフェース２０１、およびアンテナ２０１ａを備える。同様に、ＷＤ２１０は、プロセッサ２１２、記憶装置２１３、インタフェース２１１、およびアンテナ２１１ａを備える。これらの構成要素は、無線ネットワークにおける無線接続の提供およびページングＰＲＢへの無線デバイスの割り当てなど、ネットワークノードおよび／または無線デバイスの機能性を提供するために一緒に機能することができる。ページングＰＲＢはページングキャリアとも呼ばれる。異なる実施形態では、無線ネットワークは、任意の数の有線または無線ネットワーク、ネットワークノード、基地局、コントローラ、無線デバイス、中継局、および／またはデータおよび／または有線または無線接続のどちらかを介して信号の通信を促進する又はそれに参加する他の任意の構成要素を含み得る。
【００４９】
ネットワーク２２０は、１つまたは複数のＩＰネットワーク、公衆交換電話網（ＰＳＴＮ）、パケットデータネットワーク、光ネットワーク、広域ネットワーク（ＷＡＮ）、ローカルエリアネットワーク（ＬＡＮ）、無線ローカルエリアネットワーク（ＷＬＡＮ）、有線ネットワーク、無線ネットワーク、首都エリアネットワーク、およびデバイス間の通信を可能にするその他のネットワークを含んでよい。
【００５０】
本明細書で使用されるとき、「ネットワーク機器」または「ネットワークノード」とは、無線デバイスと、および／または、無線デバイスへの無線アクセスを可能にする及び／又は提供する無線通信ネットワーク内の他の機器と、直接的または間接的に通信することが可能であり、通信するよう構成され、配置され、および／または通信することができる機器を指す。ネットワーク機器の例としては、アクセスポイント（ＡＰ）、特に無線アクセスポイントが挙げられるが、これらに限定されない。ネットワーク機器は、無線基地局などの基地局（ＢＳ）を表してよい。
【００５１】
無線基地局の特定の例には、ノードＢ、および進化型ノードＢ（ｅＮＢ）が含まれる。基地局は、それらが提供するカバレッジの量（または言い換えれば、それらの送信電力レベル）に基づいて分類することができ、その結果、フェムト基地局、ピコ基地局、マイクロ基地局、またはマクロ基地局とも呼ばれることがある。
【００５２】
「ネットワーク機器」または「ネットワークノード」は、集中型デジタルユニットおよび／またはリモート無線ヘッド（ＲＲＨ）とも呼ばれるリモート無線ユニット（ＲＲＵ）などの分散型無線基地局の１つまたは複数の（またはすべての）部分も含む。そのような遠隔無線ユニットは、アンテナ一体型無線機としてアンテナと一体化されていてもされていなくてもよい。分散型無線基地局の一部は、分散型アンテナシステム（ＤＡＳ）内のノードとも呼ばれる。特定の非限定的な例として、基地局は、中継ノードまたは中継を制御する中継ドナーノードであってよい。
【００５３】
ネットワーク機器のなおさらなる例には、ＭＳＲ ＢＳなどのマルチスタンダード無線（ＭＳＲ）無線機器、無線ネットワークコントローラ（ＲＮＣ）または基地局コントローラ（ＢＳＣ）などのネットワークコントローラ、基地トランシーバ局（ＢＴＳ）、送信ポイント、送信ノード、マルチセル／マルチキャスト協調エンティティ（ＭＣＥ）、コアネットワークノード（例えば、ＭＳＣ、ＭＭＥ）、Ｏ＆Ｍノード、ＯＳＳノード、ＳＯＮノード、測位ノード（例えば、Ｅ ? ＳＭＬＣ）、および／またはＭＤＴが含まれる。しかしながら、より一般的には、ネットワーク機器は、無線通信ネットワークへの無線デバイスのアクセスを可能にするおよび／または提供するか、または無線通信ネットワークにアクセスした無線デバイスに何らかのサービスを提供することが可能な、提供するよう構成、配置された、および／または提供することができる任意の適切なデバイス（またはデバイスのグループ）を表していてよい。
【００５４】
説明された実施形態によれば、ネットワークノード２００は、プロセッサ２０２、記憶装置２０３、インタフェース２０１、およびアンテナ２０１ａを備える。これらの構成要素は、１つの大きなボックス内に配置された１つのボックスとして描かれている。しかしながら、実際には、ネットワークノードは、単一の図示された構成要素を構成する複数の異なる物理的構成要素を含み得る（例えば、インタフェース２０１は、有線接続用のワイヤを結合するための端子および無線接続用の無線トランシーバを含み得る）。別の例として、ネットワークノード２００は、ネットワークノード２００の機能を提供するために複数の異なる物理的に別々の構成要素が相互作用する仮想ネットワークノードであり得る（例えば、プロセッサ２０２は３つの別々の筐体内に配置された３つの別々のプロセッサを含み得、各プロセッサはネットワークノード２００の特定のインスタンスのための異なる機能について責任を負う）。 同様に、ネットワークノード２００は、複数の物理的に別々の構成要素（例えば、ＮｏｄｅＢ構成要素とＲＮＣ構成要素、ＢＴＳ構成要素とＢＳＣ構成要素など）から構成することができ、それらは、それら独自のそれぞれのプロセッサ、記憶装置、およびインタフェース構成要素を有していてよい。ネットワークノード２００が複数の別々の構成要素（例えば、ＢＴＳおよびＢＳＣ構成要素）を含む特定のシナリオでは、１つまたは複数の別々の構成要素をいくつかのネットワークノード間で共有することができる。例えば、単一のＲＮＣが複数のノードＢを制御してもよい。そのようなシナリオでは、各々独自のノードＢとＢＳＣのペアは別々のネットワークノードであり得る。いくつかの実施形態では、ネットワークノード２００は、複数のＲＡＴをサポートするように構成され得る。そのような実施形態では、いくつかの構成要素が重複し（たとえば、異なるＲＡＴのための別々の記憶装置２０３）、いくつかの構成要素が再利用され得る（たとえば、同じアンテナ２０１ａがＲＡＴによって共有され得る）。
【００５５】
プロセッサ２０２は、単独で、またはストレージ２０３などの他のネットワークノード２００の構成要素と連携してネットワークノード２００の機能性を提供することができる、マイクロプロセッサ、コントローラ、マイクロコントローラ、中央処理装置、デジタル信号プロセッサ、特定用途向け集積回路、フィールドプログラマブルゲートアレイ、または他の任意の適切なコンピューティングデバイス、リソース、またはハードウェア、ソフトウェアおよび／またはエンコード済みロジックの組み合わせのうちの１つまたは複数の組み合わせであってよい。例えば、プロセッサ２０２は、記憶装置２０３に格納されている命令を実行することができる。そのような機能は、本明細書で開示されるステップまたは方法のうちのいずれかを含む、本明細書で論じられる様々な無線機能をＷＤ２１０などの無線デバイスに提供することを含むことができる。
【００５６】
記憶装置２０３は、限定はしないが、永続記憶装置、固体メモリ、遠隔的に取り付けられたメモリ、磁気媒体、光媒体、ランダムアクセスメモリ（ＲＡＭ）、読み取り専用メモリ（ＲＯＭ）、リムーバブル媒体、またはその他の適切なローカルまたはリモートのメモリ構成要素を含む任意の形態の揮発性または不揮発性コンピュータ可読メモリを含み得る。記憶装置２０３は、ネットワークノード２００によって利用される、ソフトウェアおよびエンコード済みロジックを含む任意の適切な命令、データまたは情報を記憶することができる。いくつかの実施形態では、記憶装置２０３は、１つまたは複数の参照、観測または相対変調スコア、ならびにネットワークノード２００および／または２００ａに関連する様々な無線接続およびセルに関する情報を記憶することができる。変調スコアは、ネットワークノード２００に無線で接続されたＷＤおよび／またはネットワークノード２００ａなどの他のネットワークノードに無線で接続されたＷＤの変更先のターゲットセルを特定するのに有用なリスト、データベース、または他のデータの編成で維持され得る。
【００５７】
ネットワークノード２００はまた、ネットワークノード２００、ネットワーク２２０、および／またはＷＤ２１０間でのシグナリングおよび／またはデータの有線または無線通信で使用できるインタフェース２０１を備える。例えば、インタフェース２０１は、ネットワークノード２００が有線接続を介してネットワーク２２０からデータを送受信することを可能にするために必要とされることがある任意のフォーマッティング、コーディング、または変換を実行することができる。インタフェース２０１はまた、アンテナ２０１ａに結合されるかまたはアンテナ２０１ａの一部であってよい無線送信機および／または受信機を含み得る。無線機は、無線接続を介して他のネットワークノードまたはＷＤに送信されるデジタルデータを受信することができる。無線機は、デジタルデータを、適切なチャネルおよび帯域幅パラメータを有する無線信号に変換することができる。無線信号はその後、アンテナ２０１ａを介して適切な受信者（例えば、ＷＤ２１０）に送信されてもよい。
【００５８】
アンテナ２０１ａは、データおよび／または信号を無線で送受信することができる任意のタイプのアンテナであってよい。いくつかの実施形態では、アンテナ２０１ａは、例えば２ＧＨｚと６６ＧＨｚとの間で無線信号を送信／受信することができる１つまたは複数の全方向性、セクタまたはパネルアンテナを備えることができる。全方向性アンテナは、無線信号を任意の方向に送信／受信するために使用でき、セクタアンテナは、特定のエリア内のデバイスから無線信号を送信／受信するために使用でき、パネルアンテナは、比較的直線的に無線信号を送受信するのに使用される見通しアンテナであってよい。
【００５９】
本明細書で使用されるとき、「無線デバイス」は、ネットワーク機器および／または別の無線デバイスと無線で通信することが可能であり、通信するよう構成され、配置され、かつ／または通信することができるデバイスを指す。無線通信は、電磁信号、電波、赤外線信号、および／または空中を通して情報を伝達するのに適した他のタイプの信号を使用して無線信号を送信および／または受信することを含み得る。特定の実施形態では、無線デバイスは、直接的な人間の対話なしに情報を送信および／または受信するように構成され得る。例えば、無線デバイスは、内部または外部のイベントによってトリガされたとき、またはネットワークからの要求に応じて、所定のスケジュールでネットワークに情報を送信するように設計されてもよい。一般に、無線デバイスは、無線通信が可能であり、無線通信のために構成され、配置され、および／または動作できる任意の装置、例えば無線通信デバイスを表してよい。無線デバイスの例は、スマートフォンのようなユーザ機器（ＵＥ）を含むがこれに限定されない。さらなる例には、無線カメラ、無線対応タブレットコンピュータ、ラップトップ内蔵機器（ＬＥＥ）、ラップトップ搭載機器（ＬＭＥ）、ＵＳＢドングル、および／または無線顧客宅内機器（ＣＰＥ）が含まれる。
【００６０】
一具体例として、無線デバイスは、３ＧＰＰのＧＳＭ、ＵＭＴＳ、ＬＴＥ、および／または５Ｇ規格など、第３世代パートナーシッププロジェクト（３ＧＰＰ）によって公布された１つまたは複数の通信規格に従って通信するように構成されたＵＥを表していてよい。本明細書で使用されるとき、「ユーザ機器」または「ＵＥ」は、関連するデバイスを所有および／または操作する人間のユーザという意味で必ずしも「ユーザ」を有するとは限らない。代わりに、ＵＥは、人間のユーザへの販売または人間のユーザによる操作を意図しているが、最初は特定の人間のユーザに関連付けられていないことがあるデバイスを表してよい。無線デバイスは、例えばサイドリンク通信用の３ＧＰＰ規格を実施することによってデバイス間（Ｄ２Ｄ）通信をサポートすることができ、この場合はＤ２Ｄ通信装置と呼ばれることがある。
【００６１】
さらに別の具体例として、物のインターネット（ＩＯＴ）シナリオでは、無線デバイスは、監視および／または測定を実行し、そのような監視および／または測定の結果を別の無線デバイス及び／又はネットワーク機器に送信する機械または他のデバイスを表してよい。この場合、無線デバイスは、マシンツーマシン（Ｍ２Ｍ）デバイスであり得、これは、３ＧＰＰの文脈では、マシン型通信（ＭＴＣ）デバイスと呼ばれ得る。１つの特定の例として、無線デバイスは、３ＧＰＰの狭帯域インターネットオブシングス（ＮＢ−ＩｏＴ）規格を実施するＵＥであり得る。そのようなマシンまたはデバイスの特定の例は、センサ、電力計のような計量装置、産業機械、または、冷蔵庫、テレビ、腕時計などの個人用ウェアラブルなどの家庭用または個人用の電化製品である。他のシナリオでは、無線デバイスは、その動作状態またはその動作に関連する他の機能について監視および／または報告することができる車両または他の機器を表すことができる。
【００６２】
上述したような無線デバイスは無線接続のエンドポイントを表すことができ、その場合装置は無線端末と呼ばれることがある。さらに、上述したような無線デバイスは移動可能であってもよく、その場合それはまた移動デバイスまたは移動端末と呼ばれてもよい。
【００６３】
例示の実施形態によれば、ＷＤ２１０は、任意の種類の無線エンドポイント、移動局、携帯電話、無線ローカルループ電話、スマートフォン、ユーザ機器、デスクトップコンピュータ、ＰＤＡ、セル電話、タブレット、ラップトップ、ＶｏＩＰ電話、またはハンドセットとすることができ、それらは無線でデータおよび／または信号を、ネットワークノード２００などのネットワークノードと送受信することができる。ＷＤ２１０は、プロセッサ２１２、記憶装置２１３、インタフェース２１１、およびアンテナ２１１ａを備える。ネットワークノード２００と同様に、ＷＤ２１０の構成要素は、単一のより大きなボックス内に配置された単一のボックスとして示されているが、実際には、無線デバイスは単一の図示された構成要素を構成する複数の異なる物理的構成要素を含み得る（例えば記憶装置２１３は、複数の離散的マイクロチップを含み、各マイクロチップは全記憶容量の一部を表している）。
【００６４】
プロセッサ２１２は、単独で、またはストレージ２１３などの他のＷＤ２１０の構成要素と結合してＷＤ２１０の機能性を提供することができる、マイクロプロセッサ、コントローラ、マイクロコントローラ、中央処理装置、デジタル信号プロセッサ、特定用途向け集積回路、フィールドプログラマブルゲートアレイ、または他の任意の適切なコンピューティングデバイス、リソース、またはハードウェア、ソフトウェアおよび／またはエンコード済みロジックの組み合わせのうちの１つまたは複数の組み合わせであってよい。そのような機能は、本明細書で開示されるステップまたは方法のうちのいずれかを含む、本明細書で論じられる様々な無線機能を提供することを含むことができる。
【００６５】
記憶装置２１３は、限定はしないが、永続記憶装置、固体メモリ、遠隔的に取り付けられたメモリ、磁気媒体、光媒体、ランダムアクセスメモリ（ＲＡＭ）、読み取り専用メモリ（ＲＯＭ）、リムーバブル媒体、またはその他の適切なローカルまたはリモートのメモリ構成要素を含む任意の形態の揮発性または不揮発性メモリであってよい。記憶装置２１３は、ＷＤ２１０によって利用される、ソフトウェアおよびエンコード済みロジックを含む任意の適切なデータ、命令または情報を記憶することができる。いくつかの実施形態では、記憶装置２１３は、ＷＤ２１０などのＵＥをページングＰＲＢに割り当てるために有用なリスト、データベース、または他のデータ編成（たとえば、ＰＲＢ重みなど）を維持することができる。
【００６６】
インタフェース２１１は、ＷＤ２１０とネットワークノード２００との間のシグナリングおよび／またはデータの無線通信において使用され得る。例えば、インタフェース２１１は、ＷＤ１２１０が無線接続を介してネットワークノード２００からデータを送受信することを可能にするために必要とされることがある任意のフォーマッティング、コーディング、または変換を実行することができる。インタフェース２１１はまた、アンテナ２１１ａに結合されるかまたはアンテナ２１１ａの一部であってよい無線送信機および／または受信機を含み得る。無線機は、無線接続を介してネットワークノード２０１に送信されるデジタルデータを受信することができる。無線機は、デジタルデータを、適切なチャネルおよび帯域幅パラメータを有する無線信号に変換することができる。無線信号はその後、アンテナ２１１ａを介してネットワークノード２００に送信されてもよい。
【００６７】
アンテナ２１１ａは、データおよび／または信号を無線で送受信することができる任意のタイプのアンテナであってよい。いくつかの実施形態では、アンテナ２１１ａは、２ＧＨｚと６６ＧＨｚとの間で無線信号を送信／受信することができる１つまたは複数の全方向性、セクタまたはパネルアンテナを備えることができる。簡単にするために、アンテナ２１１ａは、無線信号が使用されている限りにおいて、インタフェース２１１の一部と見なすことができる。
【００６８】
図１の無線通信ネットワーク例に記載されている無線デバイスおよびネットワークノードは、ハードウェアおよび／またはソフトウェアの任意の適切な組み合わせを含む装置およびノードを表していてよいが、特定の実施形態においては、装置およびノードは特定の装置およびノードを表していてよい。上記で例示された無線デバイス、ネットワーク機器、および無線ノードのいくつかの例示的な実装形態は、図１０Ａ〜図１１Ｂに関して以下に説明される。
【００６９】
より詳細には、ネットワーク（ｅＮＢまたは他のＮＷノード）はページングＰＲＢのための重みまたは優先度を決定する。それらは範囲および実施において異なり得るが、「重み」および「優先度」という用語は、本明細書を通して交換可能に使用され得る。「不均等な」負荷分散という用語は、「偏った」、「一様でない」などと呼ばれることもある。 重みまたは優先度の一般的な目的は、ＵＥをページングＰＲＢに不均等に割り当て、不均等なページング負荷分散を達成することである。以下の要因のうちの１つまたは複数を含むがこれらに限定されない様々な要因に基づいて重みまたは優先度を決定することができる。（ａ）特定のＰＲＢが、ＮＰＳＳ ／ ＮＳＳＳ、ＮＰＢＣＨおよびシステム情報ブロードキャストを含むアンカーＰＲＢであるかどうか。（ｂ）ページング負荷および／またはページングブロッキング確率。（ｃ）他のダウンリンク負荷（例えば、ランダムアクセスｍｓｇ２、ｍｓｇ４、または予想される専用トラフィック（リリース１３マルチキャリア接続セッション））。（ｄ）設定された非アンカーＰＲＢの数。（ｅ）使用されるＤＲＸサイクル長（Ｔ）、Ｎｂ要素、および／またはページングＰＲＢの総数Ｎｎなど、ページングＰＲＢ、ページングオケージョン（ＰＯ）およびページングフレーム（ＰＦ）を計算するために使用される要因。 （ｆ）ＵＥの３ＧＰＰリリースの集団が特定のセルおよび／またはセルのクラスタおよび／またはトラッキングエリア（ＴＡ）および／またはＰＬＭＮ内にどのようにあるかについての知識。
【００７０】
ページングＰＲＢの優先度の重みは、例えば、上記に基づいてネットワークによって決定され、重み／優先度の値は、システム情報ブロードキャスト情報内で（例えばＳＩＢ２に含まれるＰＣＣＨ構成内で）ＵＥに通信される。特定の実施形態では、ＵＥとネットワークの両方は、ＵＥがどのページングＰＲＢに割り当てられているかについて同じ理解を有する。いくつかのＵＥを他のＰＲＢにランダムに再割り当てすることは、ＵＥが再割り当てを認識していないので十分ではないことに留意されたい。
【００７１】
以下は、ＮＢ−ＩｏＴに適用されるページング狭帯域にわたってＵＥを均等に分配するｅＭＴＣ式の変形である。
【００７２】
Paging PRB = floor (UE_ID/N) mod Nn        (1)
ここで、Ｎ＝ｍｉｎ（Ｔ、ｎＢ）であり、ＵＥ＿ＩＤは、ＩＭＳＩ ＵＥ識別子（潜在的にはモジュロ演算を適用することによるＩＭＳＩのただ一つの特定のビット数であり、例えば、ＵＥ＿ＩＤ＝ＩＭＳＩ ｍｏｄｕｌｏ ２14はＩＭＳＩの下位の１４ビットを使用する）、Ｎ ｎはページングＰＲＢの総数である。
【００７３】
式（１）の他の変形も可能である。そのような一例は、ＵＥ＿ＩＤに従って、ページングＰＲＢ間でＵＥを均等に分散させることである。
【００７４】
Paging PRB = UE_ID/N mod Nn        (2)
第１のグループの実施形態では、セル内の各ページングＰＲＢに重み／優先度が割り当てられている。これは、以下でｗ（ｉ）として表され、ここで、ｉはセル内のページングＰＲＢを識別し、セル内で使用される合計でｊ個のページングＰＲＢが存在し得る。次いで、上記の式（すなわち、（１）または（２））のいずれかを使用してＵＥをページングＰＲＢに割り当てることができるが、Ｎ ｎ＝ｊを使用する代わりに、より多数のＰＲＢ（アーティフィシャルＰＲＢと表記）を使用して（１）または（２）のＮｎの値を設定する。次いで、アーティフィシャルＰＲＢを実際のＰＲＢにマッピングする際に、実際のＰＲＢの重みを使用して実際のＰＲＢ間でＵＥの不均等な分散を達成する。
【００７５】
特定の実施形態では、アーティフィシャルＰＲＢを実際のＰＲＢにマッピングすることは、各ベクタインデックスが１つのアーティフィシャルＰＲＢに対応し、値は実際のＰＲＢのいずれか（すなわちＰＲＢ１．．．ＰＲＢｊ）へのマッピングを与える、サイズがＮｎ（すなわち、アーティフィシャルＰＲＢの数）のマッピングベクタを使用することによって行われる。マッピングベクタは、実際のＰＲＢ各々についての重み（ｗ（ｉ）、ｉ ＝ １，...，ｊ）のみをシグナリングすることから導出されてもよく、またはネットワークからＵＥへ明示的にシグナリング／送信されてもよい（または、さらに別の代替案として、重み、アーティフィシャルＰＲＢの数をシグナリングし、マッピングベクタをどのように作成するかについての規則が定義される）。マッピングベクタが重みのみから導出される場合、それは以下の式／方法を使用することによって行われ得る。
【００７６】
[PRB11,..., PRB 1w(1), PRB 21,..., PRB 2w(2),..., PRB j1,..., PRB jw(j)]     (3)
典型的なケースでは、ＰＲＢの重み（ｗ（ｊ））のみがシステム情報を通じてセル内のＵＥにシグナリングされる。その後、ＵＥは、上記（３）を用いてマッピングベクタを計算／構築する。マッピングベクタの長さは、すべての重みの合計（すなわち、ｗ（１）＋ｗ（２）＋...＋ ｗ（ｊ））であり得る。マッピングベクタがシグナリングされる場合、（Ｎｎとして使用される）アーティフィシャルＰＲＢの数は、実際のＰＲＢ間で異なる不均等なＵＥ分散を達成するために任意に選択され得る。
【００７７】
簡単な例では、セル内の２つの実際のＰＲＢが２つ（ｊ＝２）かつ１／３の分散（すなわち、ＰＲＢ１上にＵＥの１／３、およびＰＲＢ２上にＵＥの２／３）を仮定する。次に、ＰＲＢ１に重みｗ（１）＝１を割り当て、ＰＲＢ  ２に重みｗ（２）＝２を割り当てる。これらの重みが通知され、マッピングベクタが（３）から導出される場合、Ｎｎは上記の式（１）または（２）において人為的に３に設定され、すべてのＵＥは３つのアーティフィシャルＰＲＢに均等に分散される。第２のステップでは、３つのアーティフィシャルＰＲＢが、（３）に従って重みから決定されるマッピングベクタを使用して２つの実際のページングＰＲＢにマッピングされる。この場合、ＰＲＢ２はＰＲＢ１の２倍の重みを持つため、マッピングベクタは［１，２，２］である。マッピングベクタ値１を有する第１のアーティフィシャルＰＲＢにマッピングされた全てのＵＥはＰＲＢ１に割り当てられ、マッピングベクタ値２を有する第２又は第３のアーティフィシャルＰＲＢにマッピングされた全てのＵＥはＰＲＢ２に割り当てられ、これは、この場合、ＰＲＢ２には２倍の数のＵＥが割り当てられることを意味する。一例を図２に示す。
【００７８】
図２は、本開示の特定の実施形態による、ＵＥの分散を示す概略図である。グラフは、２つのページングＰＲＢにわたるＵＥの不均等な分散の一例を示している。円２０８は、全ページングフレーム上のＵＥの総数を表し、グラフ線２０２は、ＰＲＢ１に割り当てられたＵＥの数を表し、グラフ線２０４は、ＰＲＢ２に割り当てられたＵＥの数を表す。
【００７９】
図示の例では、重みは１〜５の範囲内の相対数であり、設定はＰＲＢ１およびＰＲＢ２に対してそれぞれ［１，２］である。さらに、計算においては、Ｔ＝５１２、Ｎｂ＝４Ｔ、Ｎｎ＝２であり、１０，０００，０００のＵＥがある。結果として生じるＵＥの分散は、ＰＲＢ１およびＰＲＢ２に対して［０．３４，０．６６］であり、これは正規化された重みベクタ［０．３３，０．６７］とほぼ同じである。
【００８０】
グラフの結果は、ランダムに異なるＵＥ ＿ＩＤを有する１０，０００，０００のＵＥからなる計算／シミュレーション、ならびに式（１）および（３）を使用するときにＰＲＢ １が重み１かつＰＲＢ ２が重み２を有する上記の例に従って、どのようにＵＥがＰＲＢ１およびＰＲＢ２に分配されるかを示す。この例では、ＵＥ ＩＤは、２14を法とするＩＭＳＩのモジュロとして計算される。このシミュレーションの結果として生じるＵＥの分散は、ＰＲＢ１およびＰＲＢ２に対して［０．３４，０．６６］であり、これは正規化された重みベクタ［１／（１＋２），２／（１＋２）］＝［１／３，２／３］とほぼ同じである。
【００８１】
以下の例では、マッピングベクタは導出されないが、その代わりに、アーティフィシャルＰＲＢの重みおよび数がシグナリング／送信され、ＵＥはマッピングベクタを導出する方法について事前定義された式に従う。３つのＰＲＢが使用され（ｊ＝ ３）、重みｗ（１）＝ １、ｗ（２）＝ ３、およびｗ（３）＝ ５であり、アーティフィシャルＰＲＢの数は１５である（以下でＮｍａｎｇａと示される）。以下の式を使用して、実際のＰＲＢにマップする必要があるアーティフィシャルＰＲＢの数を決定できる。
【００８２】
ＰＲＢimap = Round (Nmanga * w(i)/Σw )
ここでΣｗは全重みの合計である。
【００８３】
この例では以下が適用される。PRB1map = Round（15 * 1/9）= 2; ＰＲＢ2map = Round(15 * 3/9) = 5; PRB3map = Round(15 * 5/9)= 8。したがって、この例のマッピングベクタは、［１，１，２，２，２，２，２，３，３，３，３，３，３，３，３］である。以下の図３は、前の例と同じパラメータを使用（すなわち、式（１）、Ｔ＝５１２、ｎＢ＝４Ｔ、および２14を法とするＩＭＳＩのモジュロとして計算されたＵＥ＿Ｉｄを使用）した計算／シミュレーションの結果を示す。
【００８４】
アーティフィシャルのＰＲＢおよび実際のＰＲＢという用語と、アーティフィシャルのページングおよび実際のページングという用語は説明を簡単にするために使用され、当業者は、ＵＥをアーティフィシャルまたは実際のページングＰＲＢに割り当てることが、最初にひとつのＵＥをページングＰＲＢ（すなわちアーティフィシャル）の第1の組に分散させる式または複数の式によって実行または表され得ることを理解するであろう。そして、その分散を、第２の、より小さい、ページングＰＲＢ（すなわち、実際）の組の間でマッピングする。
【００８５】
図３は、本開示の特定の実施形態による、ＵＥの分散を示す別の概略図である。グラフは、３つのページングＰＲＢにわたるＵＥの不均等な分散の一例を示している。円３０８は、全ページングフレーム上のＵＥの総数を表し、グラフ線３０２は、ＰＲＢ１に割り当てられたＵＥの数を表し、グラフ線３０４は、ＰＲＢ２に割り当てられたＵＥの数を表し、グラフ線３０６は、ＰＲＢ３に割り当てられたＵＥの数を表す。
【００８６】
単に参考として含まれているこの例のためのＭａｔｌａｂのコード例は、次のものを含む。
【００８７】
vikt=[1,3,5]; %Weight 1 to 5 per PRB.Length equal to Nn.
Nmanga=Nn*5;
PNBmanga=mod(floor(UE_ID/(N)),Nmanga);
numberPnb(1)=round(vikt(1)/sum(vikt)*Nmanga);
Mappning=[0*ones(1, numberPnb(1))];
for m=1:Nn-1
numberPnb(m+1)=round(vikt(m+1)/sum(vikt)*Nmanga);
Mappning=[Mappning, m*ones(1, numberPnb(m+1))];
end
PNBvikt=Mappning(PNBmanga+1);
３つのＰＲＢに割り当てられたＵＥの分割の結果は、この場合［０．１９、０．３１、０．５０］であり、これは正規化された重み［１／９、３／９、５／９］＝［０．１１、０．３３ 、０．５５］に近い。 不一致の理由は、式（１）が１４ビットのＵＥ＿ ＩＤと大きな値のＮと共に使用されることである。Ｎ＝５１２として、（１）の最初の部分（すなわちｆｌｏｏｒ（ＵＥ＿ＩＤ／Ｎ））は、０〜３１（２14／５１２＝３２なので）の間の値である。これは１５で割り切れないため、結果として得られるマッピングは３つのＰＲＢに対して次のようになる：［６／３２，１０／３２，１６／３２］＝［０．１８７５，０．３１２５，０．５０］。
【００８８】
実施形態の第２のグループでは、ＵＥは、（ｅＭＴＣに関する）ＵＥ＿ＩＤに基づいてページングＰＲＢに割り当てられるが、さらにＰＲＢごとの重みが含まれる。このようにして、モジュラス演算の境界は、相対重みに基づいてページングＰＲＢ間で変更され、その結果、重みに応じて、不均等なＵＥの数がＰＲＢに割り当てられる。一例を図４に示す。この例は、それが各ＰＲＢ内の可能性のあるページングフレームにわたってＵＥの不均等な分散をもたらすので完全ではない。
【００８９】
図４は、本開示の特定の実施形態による、ＵＥの分散を示す別の概略図である。グラフは、３つのページングＰＲＢにわたるＵＥの不均等な分散の一例を示している。円４０８は、全ページングフレーム上のＵＥの総数を表し、グラフ線４０２は、ＰＲＢ１に割り当てられたＵＥの数を表し、グラフ線４０４は、ＰＲＢ２に割り当てられたＵＥの数を表し、グラフ線406は、ＰＲＢ３に割り当てられたＵＥの数を表す。
【００９０】
図示の例では、重みは、ＰＲＢ１、ＰＲＢ２、およびＰＲＢ３についてそれぞれ［２、１／２、１］であり、計算においては１００，０００のＵＥがある。その他の点では、設定およびパラメータ値は、実施形態の第１のグループに関する例についてと同じである。
【００９１】
Ｍａｔｌａｂコードの例は、以下を含み得る。
【００９２】
NB=mod(floor(ＵＥ_ID/(N)),Nn);
prio=[2,0.5,1];                    %Nn=3
P=prio./sum(prio)*sum(length(prio))%Prio in interval (0,2]
PNBvikt=PNB;
for j=1:length(UE_ID)
if mod(UE_ID(j)/N,1) ＞ 0.5
PNBvikt(j)=mod(floor(UE_ID(j)/N - 1/4*(P(mod(floor(UE_ID(j)/N),Nn)+1) - P(mod(floor(UE_ID(j)/N)+1,Nn)+1))), Nn);
else
PNBvikt(j)=mod(floor(UE_ID(j)/N + 1/4*(P(mod(floor(UE_ID(j)/N),Nn)+1) - P(mod(floor(UE_ID(j)/N)-1,Nn)+1))), Nn);
end
end
例示的実施形態の第３のグループでは、ｅＭＴＣ ＵＥがページング狭帯域に割り当てられるのと同様の方法でＵＥがページングＰＲＢに割り当てられるが、「ハード」ＰＲＢインデックスが割り当てられる代わりに、特定のＵＥに、ＰＲＢの優先度に基づいた「ソフト」配列値が割り当てられる。第２のステップでは、ＵＥ ＩＤおよびＰＲＢインデックスに基づく疑似乱数が配列に追加され、ＰＲＢの重み／優先度に応じてより高い優先度のＰＲＢを使用する一定量のＵＥを作成する。この一例を図５に示す。
【００９３】
図5は、本開示の特定の実施形態による、ＵＥの分散を示す別の概略図である。グラフは、３つのページングＰＲＢにわたるＵＥの不均等な分散の一例を示している。円５０８は、全ページングフレーム上のＵＥの総数を表し、グラフ線５０２は、ＰＲＢ１に割り当てられたＵＥの数を表し、グラフ線５０４は、ＰＲＢ２に割り当てられたＵＥの数を表し、グラフ線５０６は、ＰＲＢ３に割り当てられたＵＥの数を表す。この例では、ＰＲＢ３は、それがいかなるＵＥによっても使用されないほど十分に低い優先度を有し、したがって、その値は図においてゼロである。
【００９４】
前の例と同じ重みとパラメータ値が使用される。Ｍａｔｌａｂコードの例は、以下を含み得る。
NB=mod(floor(ＵＥ_ID/(N)),Nn);
prio=[2,0.5,1];                    %Nn=3
P=prio./sum(prio)*sum(length(prio))%Prio in interval (0,2]
PNBvikt=PNB;
for j=1:length(UE_ID)
B=zeros(1,Nn);
B(floor(mod((UE_ID(j)/(N)),Nn)) +1)=1;
p2=prio/sum(prio);
WeightedPNB=p2+B*2/3;
for k=1:length(B)
rng(UE_ID(k)+k) %different random number per PNB
randPNB(k)=WeightedPNB(k)+1*rand(1);
end
[maxvalＵＥ,pnb]=max(randPNB);
PNBvikt(j)=pnb-1; %Enumrerate PRBs from 0
end
上述の例および実施形態は、一般に図６〜図９のフローチャートによって表すことができる。
【００９５】
図６は、本開示の特定の実施形態による、無線デバイスによって実行される例示的な方法の処理フロー図である。特定の実施形態では、図６の１つまたは複数のステップは、図１に関して説明したワイヤレスネットワークの無線デバイス２１０によって実行されてよい。
【００９６】
その方法はステップ６１２で始まり、そこでは無線デバイスは、ページングフレーム（ＰＦ）およびページングオケージョン（ＰＯ）を計算する必要があると判定する。例えば、ページングメッセージについてＰＤＣＣＨを覚醒させて監視するために、無線デバイス２１０はそのページングフレームおよびページングオケージョンを計算する必要がある。
【００９７】
ステップ６１４において、無線デバイスは、潜在的ページングＰＲＢ各々について重みまたは優先度が与えられているか判定する。いくつかの実施形態では、ネットワークノードは、重みまたは優先度を無線デバイスに送信する。たとえば、無線デバイス２１０は、システム情報でブロードキャストされたネットワークノード２００から重みを受信してよい。
【００９８】
重みまたは優先度が提供されると無線デバイスが判定した場合、その方法はステップ６１６に続き、そこで無線デバイスは重みおよび優先度を使用してＰＦおよびＰＯを計算する。たとえば、無線デバイス２１０は、上述した実施形態または例のうちのどれにでも従ってＰＦおよびＰＯを計算することができる。
【００９９】
重みまたは優先度が提供されないと無線デバイスが判定した場合、その方法はステップ６１８に続き、そこで無線デバイスは、ＬＴＥリリース１３の式のような従来の式を使用してＰＦおよびＰＯを計算する。たとえば、無線デバイス２１０は、均等分布関数に従ってＰＦおよびＰＯを計算することができる。
【０１００】
図６の方法に修正、追加、または省略をすることができる。さらに、図６の方法における１つまたは複数のステップは、並列に、または任意の適切な順序で実行され得る。その方法のステップは、必要に応じて経時的に繰り返されてもよい。
【０１０１】
図７は、本開示の特定の実施形態による、ネットワークノードによって実行される例示的な方法の処理フロー図である。特定の実施形態では、図７の１つまたは複数のステップは、図１に関して説明したワイヤレスネットワークのネットワークノード２００によって実行されてよい。
【０１０２】
その方法はステップ７１２で始まり、そこではネットワークノードは、不均等なページング負荷分散からネットワークが利益を得ることができるか判定する。例えば、ネットワークノード２００は、ネットワークが、全て同じページングＰＲＢに割り当てられたかなりの数のリリース１３無線デバイスを含むと判定することができる。ネットワークノード２００は、多くのリリース１４無線デバイスを不均等に分散することが、リリース１３無線デバイスの集中を補償することができると判定することができる。
【０１０３】
不均等なページング負荷分散の必要性がないとネットワークノードが判定した場合、方法はステップ７２０に進み、ネットワークノードはシステム情報に重みを含ませないか、またはシステム情報に等しい重みを含ませる。
【０１０４】
ネットワークノードが、不均等なページング負荷分散の必要性があると判定した場合、方法はステップ７１４に続く。ステップ７１４で、ネットワークノードは、上述した実施形態および例に関して説明した基準のうちのいずれかに基づいて重みまたは優先度を決定または取得する。
【０１０５】
ステップ７１６で、ネットワークノードはシステム情報内の重みまたは優先度をブロードキャストする。たとえば、ネットワークノード２００は、ＳＩＢ２を使用して各ページングＰＲＢについて重みまたは優先度をブロードキャストすることができる。
【０１０６】
特定の実施形態では、ＳＩＢ２に含まれるＰＣＣＨ構成のためのRadioResourceConfigCommonは、以下の要素を含み得る。
PCCH-Config-NB-v1410 ::=                   SEQUENCE
{
PRB -List-r14 ::=                    SEQUENCE
(SIZE (1..Nnb)) OF PRB-r14
}
PRB -r14 ::=                         SEQUENCE
{
PRB -weight
ENUMERATED {1, 2, 3, 4, 5}
OPTIONAL, -- Need OP
}
特定の実施形態では、ＰＲＢ重みは、値１〜５で与えられるＰＲＢ間の不均等な負荷分散に対するＰＲＢの重みを指してよい。IEが存在しない場合、デフォルト値は３であってよい。
【０１０７】
ステップ７１８で、ネットワークノードは重みを調整するかどうかを決定する。たとえば、しばらくすると、無線デバイスが出入りするにつれてネットワークのステータスが変わることがある。ネットワークノードは、ネットワーク内の変化に責任を負うために特定のページングＰＲＢに割り当てられた重みを調整することを決定することができ、そしてステップ７１４に戻ることができる。このように、特定の実施形態は、所望の負荷分散を確実にするためにＰＲＢ重みを更新するためのオプションのフィードバックループを含んでよい。
【０１０８】
図７の方法に修正、追加、または省略をすることができる。さらに、図７の方法における１つまたは複数のステップは、並列に、または任意の適切な順序で実行され得る。その方法のステップは、必要に応じて経時的に繰り返されてもよい。
【０１０９】
図８は、本開示の特定の実施形態による、無線デバイスによって実行される例示的な方法の別の処理フロー図である。特定の実施形態では、図８の１つまたは複数のステップは、図１に関して説明したワイヤレスネットワークの無線デバイス２１０によって実行されてよい。
【０１１０】
その方法はステップ８１２ではじまり、そこでは無線デバイスが、ページングＰＲＢを複数のＵＥに割り当てるための複数の重みを受信する。各重みはそれぞれのページングＰＲＢに関連付けられている。特定の実施形態では、無線デバイスはネットワークノードから複数の重みを受信してよい。複数の重みは、システム情報の中でブロードキャストされてよい。たとえば、無線デバイス２１０は、ＳＩＢ２においてネットワークノード２００からブロードキャストされた複数の重みを受信し得る。
【０１１１】
特定の実施形態では、重みは、上述した実施形態および例に記載されている基準のいずれに基づいてもよい。例えば、重みは、以下のうちの少なくとも１つに基づいてもよい。ＰＲＢがアンカーＰＲＢであるかどうか。ページング負荷またはページングブロッキング確率。ダウンリンクトラフィック負荷。アンカーＰＲＢの数。不連続受信（ＤＲＸ）パラメータ。ＬＴＥリリースバージョンに応じたＵＥの分布。
【０１１２】
ステップ８１４では、無線デバイスは、複数の重みのうちの少なくとも１つの重みを使用してＵＥのためのページングＰＲＢを決定する。たとえば、無線デバイス２１０は、それ自身のＵＥ識別子および複数の重みを使用してそれ自身のページングＰＲＢを決定し得る。
【０１１３】
特定の実施形態では、無線デバイスは、図２〜５に関して説明されたものなど、上述の実施形態または例のうちのいずれかに従ってページングＰＲＢを決定することができる。例えば、ＵＥのためのページングＰＲＢを決定することは、（たとえば上述した式（１）または（２）を用いて）１組のアーティフィシャルページングＰＲＢのうちの１つのアーティフィシャルページングＰＲＢにＵＥを割り当てることと、複数の重みのうちの少なくとも１つの重みを使用して（たとえば上述したマッピングベクタを用いて）、１組の実際のページングＰＲＢのうちの１つの実際のページングＰＲＢにそのアーティフィシャルページングＰＲＢをマッピングすることを含んでよい。１組の実際のページングＰＲＢは、１組のアーティフィシャルページングＰＲＢよりも少ない数のページングＰＲＢを含む。
【０１１４】
特定の実施形態では、ＵＥは一意の識別子と関連付けられている。ＵＥをアーティフィシャルページングＰＲＢに割り当てることは、アーティフィシャルページングＰＲＢを選択するために均等分布関数を使用することを含む。均等分布関数は、一組のアーティフィシャルページングＰＲＢ内のページングＰＲＢの総数で一意の識別子を除算することを含む。アーティフィシャルページングＰＲＢを実際のページングＰＲＢに割り当てることは、実際のページングＰＲＢを選択するために不均等分布関数を使用することを含む。不均等分布関数は、重みに従って、１組のアーティフィシャルページングＰＲＢのいくつかのページングＰＲＢを、１組の実際のページングＰＲＢトのページングＰＲＢに割り当てることを含む。
【０１１５】
ステップ８１４において、無線デバイスは決定されたページングＰＲＢ上でページングを受信する。たとえば、無線デバイス２１０は、ページングメッセージのためのページングＰＲＢを覚醒させ、監視することができる。無線デバイス２１０はネットワークノード２００からページングメッセージを受信することができる。
【０１１６】
図８の方法に修正、追加、または省略をすることができる。さらに、図8の方法における１つまたは複数のステップは、並列に、または任意の適切な順序で実行され得る。その方法のステップは、必要に応じて経時的に繰り返されてもよい。
【０１１７】
図９は、本開示の特定の実施形態による、ネットワークノードによって実行される例示的な方法の別の処理フロー図である。その方法は、ＰＲＢを複数のＵＥに割り当て、無線ネットワーク内の既存のページング負荷を均衡させるためにページング負荷を不均等に分散させる。特定の実施形態では、図9の１つまたは複数のステップは、図１に関して説明したワイヤレスネットワークのネットワークノード２００によって実行されてよい。
【０１１８】
その方法はステップ９５２ではじまり、そこではネットワークノードが、ページングＰＲＢを複数のＵＥに割り当てるための複数の重みを取得する。複数の重みの各重みはそれぞれのページングＰＲＢに関連付けられる。特定の実施形態では、複数の重みを取得することは、ネットワークノードが重みを決定すること（例えば計算すること）を含んでよい。いくつかの実施形態では、ネットワークノードは別のネットワーク要素から重みを取得することができ、または重みはネットワーク事業者によって提供されてよい。たとえば、ネットワークノード２００は、上述した実施形態または例のうちのどれにでも従って重みを計算することができる。
【０１１９】
特定の実施形態では、重みは、以下のうちの少なくとも１つに基づいてもよい。ＰＲＢがアンカーＰＲＢであるかどうか。ページング負荷またはページングブロッキング確率。ダウンリンクトラフィック負荷。アンカーＰＲＢの数。ＤＲＸパラメータ。 ＬＴＥリリースバージョンに応じたＵＥの分布。
【０１２０】
ステップ９５４で、ネットワークノードは、複数の重みを１つまたは複数のＵＥに送信する。たとえば、ネットワークノード２００は、システム情報を使用して複数の無線デバイス２１０に重みをブロードキャストすることができる。
【０１２１】
ネットワークノードは、ページングメッセージを無線デバイスに送信することができる。ページングメッセージを送信するために、ネットワークノードは特定の無線デバイスのために使用するページングＰＲＢを知る必要がある。ネットワークノードは、オプションで次のステップを実行してページングメッセージを特定の無線デバイスに送信することができる。
【０１２２】
ステップ９５６では、ネットワークノードは、複数の重みのうちの少なくとも１つの重みを使用してＵＥのためのページングＰＲＢを割り当てる。特定の実施形態では、ＵＥのためのページングＰＲＢを割り当てることは、１組のアーティフィシャルページングＰＲＢのうちの１つのアーティフィシャルページングＰＲＢにＵＥを割り当てることと、複数の重みのうちの少なくとも１つの重みを使用して、１組の実際のページングＰＲＢのうちの１つの実際のページングＰＲＢに１つのアーティフィシャルページングＰＲＢをマッピングすることを含んでよい。１組の実際のページングＰＲＢは、１組のアーティフィシャルページングＰＲＢよりも少ない数のページングＰＲＢを含む。
【０１２３】
特定の実施形態では、ＵＥのためのページングＰＲＢは、１組のアーティフィシャル（artificial）ページングＰＲＢのうちの１つのアーティフィシャルページングＰＲＢにＵＥを割り当てることと、複数の重みのうちの少なくとも１つの重みを使用して、１組の実際のページングＰＲＢのうちの１つの実際のページングＰＲＢに１つのアーティフィシャルページングＰＲＢをマッピングすることを含んでよい。１組の実際のページングＰＲＢは、１組のアーティフィシャルページングＰＲＢよりも少ない数のページングＰＲＢを含む。
【０１２４】
特定の実施形態では、ＵＥは一意の識別子と関連付けられている。ＵＥをアーティフィシャルページングＰＲＢに割り当てることは、アーティフィシャルページングＰＲＢを選択するために均等分布関数を使用することを含む。均等分布関数は、一組のアーティフィシャルページングＰＲＢ内のページングＰＲＢの総数で一意の識別子を除算することを含む。アーティフィシャルページングＰＲＢを実際のページングＰＲＢに割り当てることは、実際のページングＰＲＢを選択するために不均等分布関数を使用することを含む。不均等分布関数は、重みに従って、１組のアーティフィシャルページングＰＲＢのいくつかのページングＰＲＢを、１組の実際のページングＰＲＢトのページングＰＲＢに割り当てることを含む。
【０１２５】
特定の実施形態では、ＵＥのためのページングＰＲＢを割り当てることは、図８のステップ８１４に関して説明されたものと同様のステップを含む。このようにして、ネットワークノードと無線デバイスの両方は、ネットワークノードが送信のために使用しているのと同じページングＰＲＢを無線デバイスがリッスンしているように、同じページングＰＲＢを計算（または決定）する。
【０１２６】
ステップ９５８で、ネットワークノードは、割り当てられたページングＰＲＢを使用してＵＥをページングする。例えば、ネットワークノード２００は、ステップ９５６で割り当てられたページングＰＲＢを使用して無線デバイス２１０をページングすることができる。
【０１２７】
図9の方法に修正、追加、または省略をすることができる。さらに、図9の方法における１つまたは複数のステップは、並列に、または任意の適切な順序で実行され得る。その方法のステップは、必要に応じて経時的に繰り返されてもよい。
【０１２８】
図１０Ａは、無線デバイスの例示的実施形態を示すブロック図である。例示的な無線デバイス２１０は、アンテナ９０５、無線フロントエンド回路９１０、処理回路９２０、およびコンピュータ可読記憶媒体９３０を含む。アンテナ９０５は、１つまたは複数のアンテナまたはアンテナアレイを含んでよく、無線信号を送信および／または受信するように構成されており、無線フロントエンド回路９１０に接続されている。特定の代替実施形態では、無線デバイス２１０はアンテナ９０５を含まなくてもよく、代わりにアンテナ９０５は無線デバイス２１０とは分離しており、インタフェースまたはポートを通して無線デバイス２１０に接続可能であってもよい。
無線フロントエンド回路９１０は、様々なフィルタおよび増幅器を含んでよく、アンテナ９０５および処理回路９２０に接続され、かつアンテナ９０５と処理回路９２０との間で通信される信号を調整するように構成される。特定の代替実施形態では、無線デバイス９００は無線フロントエンド回路９１０を含まなくてもよく、代わりに処理回路９２０は無線フロントエンド回路９１０なしでアンテナ９０５に接続されてもよい。
【０１２９】
処理回路９２０は、無線周波数（ＲＦ）トランシーバ回路９２１、ベースバンド処理回路９２２、およびアプリケーション処理回路９２３のうちの１つまたは複数を含んでよい。いくつかの実施形態では、ＲＦトランシーバ回路９２１、ベースバンド処理回路９２２、およびアプリケーション処理回路９２３は別々のチップセット上にあってもよい。代替実施形態では、ベースバンド処理回路９２２およびアプリケーション処理回路９２３の一部または全部を１つのチップセットに組み合わせることができ、ＲＦトランシーバ回路９２１を別個のチップセットに含めることができる。さらなる代替実施形態では、ＲＦトランシーバ回路９２１およびベースバンド処理回路９２２の一部または全部が同じチップセット上にあってもよく、アプリケーション処理回路９２３が別個のチップセット上にあってもよい。さらなる他の実施形態では、ＲＦトランシーバ回路９２１、ベースバンド処理回路９２２、およびアプリケーション処理回路９２３の一部または全部は同じチップセットに組み合わせてもよい。処理回路９２０は、例えば、１つまたは複数の中央処理装置（ＣＰＵ）、１つまたは複数のマイクロプロセッサ、１つまたは複数の特定用途向け集積回路（ＡＳＩＣ）、および／または１つまたは複数のフィールドプログラマブルゲートアレイ（ＦＰＧＡ）を含み得る。
【０１３０】
特定の実施形態では、無線デバイスによって提供されるものとして本明細書に記載されている機能の一部または全部は、図１０Ａに示されるように、コンピュータ可読記憶媒体９３０に記憶された命令を実行する処理回路９２０によって提供され得る。代替実施形態では、機能の一部または全部は、コンピュータ可読媒体に記憶された命令を実行することなく、ハードワイヤード方式などで処理回路９２０によって提供され得る。これらの特定の実施形態のいずれにおいても、コンピュータ可読記憶媒体に記憶された命令を実行するか否かにかかわらず、処理回路は記載された機能を実行するように構成されていると言える。そのような機能によって提供される利益は、処理回路９２０単独または無線デバイスの他の構成要素に限定されず、無線デバイス全体によって、および／または一般にはエンドユーザおよび無線ネットワークによって享受される。
【０１３１】
アンテナ９０５、無線フロントエンド回路９１０、および／または処理回路９２０は、無線デバイスによって実行されるものとして本明細書に記載される任意の受信動作を実行するように構成されてよい。任意の情報、データ、および／または信号が、ネットワーク機器および／または別の無線デバイスから受信されてよい。
【０１３２】
処理回路９２０は、無線デバイスによって実行されるものとして本明細書に記載される任意の決定動作を実行するように構成されてよい。処理回路９２０によって実行されるものとして決定することは、例えば取得された情報を他の情報に変換すること、取得された情報または変換された情報を無線デバイスに格納された情報と比較すること、および／または取得した情報または変換した情報に基づいた１つ又は複数の動作を実行することにより、処理回路９２０により取得した情報を処理することを含んでよく、前記処理結果として決定がされる。
【０１３３】
アンテナ９０５、無線フロントエンド回路９１０、および／または処理回路９２０は、無線デバイスによって実行されるものとして本明細書に記載される任意の送信動作を実行するように構成されてよい。任意の情報、データ、および／または信号が、ネットワーク機器および／または別の無線デバイスへ送信されてよい。
【０１３４】
コンピュータ可読記憶媒体９３０は、一般に、コンピュータプログラム、ソフトウェア、１つまたは複数のロジック、規則、コード、表などを含むアプリケーション、および／またはプロセッサによって実行することができる他の命令などの命令を記憶することができる。コンピュータ可読記憶媒体９３０の例は、コンピュータメモリ（例えば、ランダムアクセスメモリ（ＲＡＭ）またはリードオンリーメモリ（ＲＯＭ））、大容量記憶媒体（例えば、ハードディスク）、リムーバブル記憶媒体（例えば、コンパクトディスク（ＣＤ）またはデジタルビデオディスク（ＤＶＤ）、および／または、処理回路９２０によって使用されてよい情報、データ、および／または命令を格納する他の任意の揮発性または不揮発性、非一時的コンピュータ可読および／またはコンピュータ実行可能メモリデバイスを含む。いくつかの実施形態では、処理回路９２０およびコンピュータ可読記憶媒体９３０は統合されていると見なすことができる。
【０１３５】
無線デバイス２１０の代替実施形態は、本明細書に記載の機能のいずれかおよび／または上述した解決策をサポートするのに必要な機能を含む無線デバイスの機能の特定の態様を提供する役割を果たすことができる図１０Ａに示すものを超える追加の構成要素を含んでよい。一例として、無線デバイス２１０は、入力インタフェース、デバイスおよび回路と、出力インタフェース、デバイスおよび回路を含んでよい。
【０１３６】
入力インタフェース、デバイス、および回路は、無線デバイス２１０への情報の入力を可能にするように構成され、処理回路９２０が入力情報を処理することができるように処理回路９２０に接続される。例えば、入力インタフェース、デバイス、および回路は、マイクロフォン、近接センサまたは他のセンサ、キー／ボタン、タッチディスプレイ、１つ以上のカメラ、ＵＳＢポート、または他の入力要素を含み得る。
【０１３７】
出力インタフェース、デバイス、および回路は、無線デバイス２１０からの情報の出力を可能にするように構成され、処理回路９２０が情報を無線デバイス９００から出力することを可能にするように処理回路９２０に接続される。例えば、出力インタフェース、デバイス、または回路は、スピーカ、ディスプレイ、振動回路、ＵＳＢポート、ヘッドフォンインタフェース、または他の出力要素を含み得る。１つまたは複数の入出力インタフェース、デバイス、および回路を使用して、無線デバイス２１０は、エンドユーザおよび／または無線ネットワークと通信し、それらが本明細書で説明された機能から利益を得ることを可能にするようにしてよい。
【０１３８】
別の例として、無線デバイス２１０は電源回路９４０を含んでよい。電源回路９４０は電力管理回路を含んでよい。電源回路は、電源回路９４０に含まれるか、または外部にあるかのいずれかであり得る電源から電力を受け取ることができる。例えば、無線デバイス２１０は、電源回路９４０に接続されているかまたはそれに組み込まれている電池または電池パックの形態の電源を備えていてもよい。光起電力デバイスなどの他の種類の電源も使用することができる。さらなる例として、無線デバイス２１０は、電気ケーブルなどの入力回路またはインタフェースを介して外部電源（電気コンセントなど）に接続可能であり、それによって外部電源は電力を電源回路９４０に供給する。
【０１３９】
電源回路９４０は、無線フロントエンド回路９１０、処理回路９２０、および／またはコンピュータ可読記憶媒体９３０に接続され、本明細書に記載の機能を実行するための電力を処理回路９２０を含む無線デバイス２１０に供給するように構成され得る。
【０１４０】
無線デバイス２０はまた、例えばＧＳＭ、ＷＣＤＭＡ、ＬＴＥ、ＮＲ、ＷｉＦｉ、またはＢｌｉｅｔｏｏｔｈ無線技術など、無線デバイス９００に統合された異なる無線技術のための複数組の処理回路９２０、コンピュータ可読記憶媒体９３０、無線回路９１０、および／またはアンテナ９０５を含んでよい。これらの無線技術は、無線デバイス２１０内の同じまたは異なるチップセットおよび他の構成要素に統合することができる。
【０１４１】
図１０Ｂは、無線デバイスの例示的構成要素を示すブロック図である。構成要素は、受信モジュール９４２および決定モジュール９４４を含んでよい。
【０１４２】
受信モジュール９４２は、無線デバイス２１０の受信機能を実行することができる。たとえば、受信モジュール９４２は、各々がそれぞれのページングＰＲＢに関連付けられた複数の重みをネットワークノードから受信することができる。受信モジュール９４２は、ネットワークノードからページングメッセージを受信することができる。受信モジュール９４２は、上述した例および実施形態のうちのいずれかにおいて説明されている受信機能を実行することができる。特定の実施形態において、受信モジュール９４２は、処理回路９２０を含むか、またはその中に含まれてよい。特定の実施形態では、受信モジュール９４２は決定モジュール９４４と通信することができる。
【０１４３】
決定モジュール９４４は、無線デバイス２１０の決定機能を実行することができる。たとえば、決定モジュール９４４は、上述した実施形態または例のうちのどれにでも従って無線デバイスのためのページングＰＲＢを決定することができる。特定の実施形態において、決定モジュール９４４は、処理回路９２０を含むか、またはその中に含まれてよい。特定の実施形態では、決定モジュール９４４は受信モジュール９４２と通信することができる。
【０１４４】
図１１Ａは、ネットワークノードの例示的実施形態を示すブロック図である。例示的無線ネットワークノード２００は、アンテナ１０４０、無線回路（例えば無線フロントエンド回路）１０１０、処理回路１０２０を含み、無線ネットワークノード２００はメモリ１０３０も含むことができる。メモリ１０３０は、処理回路１０２０または処理回路１０２０の一体部分から分離することができる。アンテナ１０４０は、１つまたは複数のアンテナまたはアンテナアレイを含んでよく、無線信号を送信および／または受信するように構成されており、無線回路（例えば無線フロントエンド回路）１０１０に接続されている。特定の代替実施形態では、無線ネットワークノード２００はアンテナ１０４０を含まなくてもよく、代わりにアンテナ１０４０は無線ネットワークノード２００とは分離しており、インタフェースまたはポートを通して無線ネットワークノード２００に接続可能であってもよい。処理回路１０２０は、ページングＰＲＢに関連付けられた重みを決定し、取得し、および／または計算し、その重みを使用して無線デバイスにページングＰＲＢを割り当てるように構成され得る。
【０１４５】
無線回路（例えば無線フロントエンド回路）１０１０は、様々なフィルタおよび増幅器を含んでよく、アンテナ１０４０および処理回路１０２０に接続され、かつアンテナ１０４０と処理回路１０２０との間で通信される信号を調整するように構成される。特定の代替実施形態では、無線ネットワークノード２００は無線回路（例えば無線フロントエンド回路）１０１０を含まなくてもよく、代わりに処理回路１０２０はフロントエンド回路１０１０なしでアンテナ１０４０に接続されてもよい。無線回路１０１０は、システム情報およびページングメッセージを送信するように構成されてよい。無線回路１０１０は、送信された信号に従って制御情報をＵＥに送信するように構成されてもよい。
【０１４６】
処理回路１０２０は、無線周波数（ＲＦ）トランシーバ回路、ベースバンド処理回路、およびアプリケーション処理回路のうちの１つまたは複数を含んでよい。いくつかの実施形態では、ＲＦトランシーバ回路１０２１、ベースバンド処理回路１０２２、およびアプリケーション処理回路１０２３は別々のチップセット上にあってもよい。代替実施形態では、ベースバンド処理回路１０２２およびアプリケーション処理回路１０２３の一部または全部を１つのチップセットに組み合わせることができ、ＲＦトランシーバ回路１０２１を別個のチップセットに含めることができる。さらなる代替実施形態では、ＲＦトランシーバ回路１０２１およびベースバンド処理回路１０２２の一部または全部が同じチップセット上にあってもよく、アプリケーション処理回路１０２３が別個のチップセット上にあってもよい。さらなる他の実施形態では、ＲＦトランシーバ回路1021、ベースバンド処理回路1022、およびアプリケーション処理回路1023の一部または全部は同じチップセットに組み合わせてもよい。処理回路1020は、例えば、１つまたは複数の中央処理装置（ＣＰＵ）、１つまたは複数のマイクロプロセッサ、１つまたは複数の特定用途向け集積回路（ＡＳＩＣ）、および／または１つまたは複数のフィールドプログラマブルゲートアレイ（ＦＰＧＡ）を含み得る。
【０１４７】
無線ネットワークノード２００は電源１０５０を含むことができる。電源１０５０は、電池または他の電源回路、ならびに電力管理回路であってよい。電源回路は外部電源から電力を受け取ることができる。電池、他の電源回路、および／または電力管理回路は、無線回路（例えば無線フロントエンド回路）１０１０、処理回路１０２０、および／またはメモリ１０３０に接続されている。電源１０５０、バッテリ、電源回路、および／または電力管理回路は、処理回路１０２０を含む無線ネットワークノード２００に、本明細書に記載の機能を実行するための電力を供給するように構成される。
【０１４８】
図１１Ｂは、ネットワークノードの例示的構成要素を示すブロック図である。構成要素は、取得モジュール１０６０、送信モジュール１０６２および決定モジュール１０６４を含んでよい。
【０１４９】
取得モジュール１０６０は、ネットワークノード２００の取得機能を実行することができる。たとえば、取得モジュール１０６０は、各々がそれぞれのページングＰＲＢのための複数の重みを取得することができる。特定の実施形態において、取得モジュール１０６０は、処理回路１０２０を含むか、またはその中に含まれてよい。特定の実施形態では、取得モジュール１０６０は、送信モジュール１０６２および決定モジュール１０６４と通信することができる。
【０１５０】
送信モジュール１０６２は、ネットワークノード２００の送信機能を実行することができる。たとえば、送信モジュール１０６２は、複数の重みおよび／またはページングメッセージを無線デバイスに送信することができる。特定の実施形態において、送信モジュール１０６２は、処理回路１０２０を含むか、またはその中に含まれてよい。特定の実施形態では、送信モジュール１０６２は、取得モジュール１０６０および決定モジュール１０６４と通信することができる。
【０１５１】
決定モジュール１０６４は、ネットワークノード２００の決定機能を実行することができる。たとえば、決定モジュール１０６４は、ページングＰＲＢのための複数の重みを決定し、その重みに基づいてページングＰＲＢを無線デバイスに割り当てることができる。特定の実施形態において、決定モジュール１０６４は、処理回路１０２０を含むか、またはその中に含まれてよい。特定の実施形態では、決定モジュール１０６４は、取得モジュール１０６０および送信モジュール１０６２と通信することができる。
【０１５２】
本明細書に開示されているシステムおよび装置に対して、本発明の範囲から逸脱することなく、修正、追加、または省略を行うことができる。システムおよび装置の構成要素は統合されても分離されてもよい。さらに、システムおよび装置の動作は、より多い、またはより少ない、または他の構成要素によって実行され得る。さらに、システムおよび装置の動作は、ソフトウェア、ハードウェア、および／または他のロジックを含む任意の適切なロジックを使用して実行され得る。この文書で使用されているように、「各々」とは、１セットの各メンバ、または１セットのうちの１サブセットの各メンバを指す。
【０１５３】
本明細書に開示されている方法に対して、本発明の範囲から逸脱することなく、修正、追加、または省略を行うことができる。方法は、より多い、またはより少ない、または他のステップを含み得る。さらに、ステップは任意の適切な順序で実行されてもよい。
【０１５４】
この開示は特定の実施形態に関して説明されてきたが、実施形態の変更および置換は当業者に明らかであろう。したがって、実施形態の上記の説明はこの開示を制限しない。添付の特許請求の範囲によって定義されるように、本開示の精神および範囲から逸脱することなく、他の変更、置換、および改変が可能である。
【０１５５】
前述の説明で使用されている略語は以下を含む。
【０１５６】
３ＧＰＰ  第３世代パートナーシッププロジェクト
ＢＴＳ  基地局
ＣＲＳ  セル参照シンボル
Ｄ２Ｄ  デバイス間
ＤＣＦ  分散調整機能
ＤＬ  ダウンリンク
ｅＮＢ  ｅノードＢ
ＦＤＤ  周波数分割複信
ＬＴＥ  ロングタームエボリューション
ＭＡＣ  媒体アクセス制御
ＭＢＳＦＮ  マルチメディアブロードキャスト単一周波数ネットワーク
Ｍ２Ｍ  マシン間
ＭＩＢ  マスタ情報ブロック
ＭＩＭＯ  マルチ入力マルチ出力
ＭＴＣ  マシン型通信
ＮＢ  狭帯域
ＮＢ−ＩｏＴ  ＮＢインターネットオブシングス
ＮＤＬＳＣＨ  ＮＢダウンリンク共有チャネル
ＮＰＢＣＨ  ＮＢ物理ブロードキャストチャネル
ＮＰＲＡＣＨ  ＮＢ物理ランダムアクセスチャネル
ＮＰＳＳ  ＮＢプライマリ同期信号
ＮＲ  ニューラジオ
ＮＲＳ  ＮＢ参照シンボル
ＮＳＳＳ  ＮＢセカンダリ同期信号
ＰＤＳＣＨ  物理ダウンリンク共有チャネル
ＰＵＣＣＨ  物理アップリンク制御チャネル
ＰＯ  ページングオケージョン
ＰＦ  ページングフレーム
ＰＲＢ  物理リソースブロック
ＲＡＮ  無線アクセスネットワーク
ＲＡＴ  無線アクセス技術
ＲＢ  無線ベアラ
ＲＢＳ  無線基地局
ＲＮＣ  無線ネットワークコントローラ
ＲＲＣ  無線リソース制御
ＲＲＨ  リモートラジオヘッド
ＲＲＵ  リモートラジオユニット
ＳＩ  システム情報
ＳＩＢ  システム情報ブロック
ＴＤＤ  時分割複信
ＵＥ  ユーザ機器
Ｕｌ  アップリンク
ＵＴＲＡＮ  ユニバーサル地上無線アクセスネットワーク
ＷＡＮ  無線アクセスネットワーク
【図１】
2019531002.tif 000003
【図２】
2019531002.tif 000004
【図３】
2019531002.tif 000005
【図４】
2019531002.tif 000006
【図５】
2019531002.tif 000007
【図６】
2019531002.tif 000008
【図７】
2019531002.tif 000009
【図８】
2019531002.tif 000010
【図９】
2019531002.tif 000011
【図１０Ａ】
2019531002.tif 000012
【図１０Ｂ】
2019531002.tif 000013
【図１１Ａ】
2019531002.tif 000014
【図１１Ｂ】
2019531002.tif 000015
【国際調査報告】
2019531002.tif 000016
2019531002.tif 000017
2019531002.tif 000018